(57)【要約】【課題】Ｌポケット付きボトムズにおいて、量産性を損なうことなく、見栄え・美観を良好に保ちつつウエストサイズを伸縮自在とすること。【解決手段】Ｌポケット８２の袋布８５の端部８５ａの上端を分割して、パイピング部分８６が設けられている。このようにパイピング部分８６を設けることによって、図示されるように、袋布８５の上端のパイピング部分８６の内側のみが延出部８３Ｂの摺動に伴って引っ張られ、袋布８５の上端のパイピング部分８６の外側が縫付けられている前身頃８４の図の左端は引っ張られず、この部分が引き攣ることがなく、表側から見た場合でも良好な見栄えを保つことができる。【選択図】図２５
2011196013.tif 000002
【特許請求の範囲】
【請求項１】
芯材を有するベルト部に主弾性材を接続することによって、ベルト部の見掛け上の長さを伸縮自在としたウエスト周り伸縮自在構造を有するＬポケット付きボトムズであって、
前記Ｌポケットの前中心よりの外縁の近傍に位置する前記ベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、
前記Ｌポケットの袋布を縫付ける際に、前記袋布の前中心よりの端の上部を分割して該分割部分にパイピングを施し、該パイピングの折り返し部分を摘み縫いして裏返して前記袋布を形成したことを特徴とするＬポケット付きボトムズ。
【請求項２】
前記袋布を形成する際に、前記袋布の前中心よりの折り返し部分を前記分割部分よりも内側に前記パイピングの幅の分だけずらしたことを特徴とする請求項１に記載のＬポケット付きボトムズ。
【請求項３】
前記Ｌポケットの外縁に沿って前記Ｌポケットの袋布を縫付ける際に前記外縁上部を前記ベルト部と略垂直になるように立てるとともに前記外縁中央部を長さ方向に縮めた状態で裏側から圧縮してプレスした後、その上から伸縮性を有する生地を前記外縁の裏側に沿って帯状に縫付け、または貼り付けたことを特徴とする請求項１または請求項２に記載のＬポケット付きボトムズ。
【請求項４】
前記Ｌポケットの外縁に沿って前記Ｌポケットの袋布を縫付ける際に前記外縁上部を前記ベルト部の長手方向と略垂直になるように立てるとともに前記外縁中央部に１以上の切欠きを入れて前記切欠きを縮めた状態で上から伸縮性を有する生地を前記外縁の裏側に沿って帯状に縫付け、または貼り付けたことを特徴とする請求項１または請求項２に記載のＬポケット付きボトムズ。
【請求項５】
前記Ｌポケットの外縁を前記ベルト部に接する上部から下部にいくに従って前記前中心方向に突出するように湾曲した形状としたことを特徴とする請求項１または請求項２に記載のＬポケット付きボトムズ。
【請求項６】
前記Ｌポケットの袋布の前記前中心側の端の折り返し部分の上端にパイピングを施したことを特徴とする請求項１乃至請求項５のいずれか１つに記載のＬポケット付きボトムズ。
【請求項７】
前記収容部の端を覆うように、かつ、前記延出部の移動を妨げないように前記ベルト部にベルト通しを縫付けたことを特徴とする請求項１乃至請求項６のいずれか１つに記載のＬポケット付きボトムズ。
【請求項８】
前記主弾性材にはその最大伸びを制限する伸び止め材を並設したことを特徴とする請求項１乃至請求項７のいずれか１つに記載のＬポケット付きボトムズ。
【請求項９】
前記伸び止め材は前記主弾性材の前中心よりの端において前記主弾性材とともに前記ベルト部に縫付けられ、前記主弾性材の前記最大伸びに相当する長さだけ弛ませて前記主弾性材の脇よりの端にのみ縫付けられ、更に前記主弾性材の脇よりの端よりも突出して前記ベルト部の脇側に縫付けられたことを特徴とする請求項８に記載のＬポケット付きボトムズ。
【請求項１０】
前記主弾性材には、その最大伸びを制限する伸び止め材の役割をするストッパー部分を並設し、前記ストッパー部分は前記延出部と一体としたことを特徴とする請求項１乃至請求項９のいずれか１つに記載のＬポケット付きボトムズ。
【請求項１１】
前記ストッパー部分は前記主弾性材の前中心よりの端において前記主弾性材とともに前記ベルト部に縫付けられ、前記主弾性材の前記最大伸びに相当する長さだけ弛ませて前記主弾性材の脇よりの端にのみ縫付けられ、更に前記主弾性材の脇よりの端よりも突出して前記ベルト部の脇側に縫付けられたことを特徴とする請求項１０に記載のＬポケット付きボトムズ。
【請求項１２】
前記収容部の開口近傍の内面に伸縮性を有しない生地からなる裏地または伸縮性を有しない生地からなる接着布を縫付け、または貼り付けたことを特徴とする請求項１乃至請求項１１のいずれか１つに記載のＬポケット付きボトムズ。
【発明の詳細な説明】
【技術分野】
【０００１】
本発明は、ポケットによる重ね合せ部を備えたウエスト部を有する被服、すなわち、パンツ（ズボン）やスカート、キュロットスカート等（以下、「ボトムズ（bottoms）」という）のウエストサイズを伸縮自在としたボトムズに関するものであリ、特にジーンズ（Ｇパン，デニム）、綿パン、チノパン等の前面脇部にＬポケットを有するカジュアルなボトムズ、及びＬポケットを有するカジュアルでないドレス調のボトムズに関するものである。
【背景技術】
【０００２】
一般に、パンツ等のボトムズの既製品のベルト部のサイズは、例えば、６９ｃｍ、７２ｃｍ、７５ｃｍといったように所定間隔で設定されており、購入者は自己のベルトサイズに近いものを選択して購入し、自己のベルトサイズに修正したり、革ベルト等によって矯正したりして着用している。しかしながら、ベルトサイズを修正する場合には修正作業が必要で手間及び費用を要し、革ベルト等によって矯正する場合にはパンツ等のベルト部にシワが生じてテザイン的に好ましくなく、更に着用した際の快適性も劣るという問題がある。
【０００３】
そこで、これを解決したものとして、本発明者の発明に係る特許文献１及び特許文献２に記載された特許発明等の技術が公知である。すなわち、パンツ等のベルト部の横側、前側の一部にゴム等の弾性材を介在させ、この弾性材によってベルトサイズを伸縮させることができるようにしたものである。更に、本発明者は、これらの特許発明を改良して、伸縮自在にするために形成されている隙間を広げたときでもその見栄えを良くするとともに、滑らかな伸縮が可能な被服のウエストサイズ伸縮自在構造についての発明をし、この発明について特許出願をしている（特許文献３）。
【０００４】
この特許文献３に記載の技術においては、主弾性材の弾性力により収容部に挿入された延出部が収容部裏地のみと摺接するためその接触抵抗が少なくなり、延出部と収容部との滑らかな動きが可能となるとともに、収容部の表側及び裏側から見た収容部の内側には収容部裏地が取付けられているので、ウエスト部の芯材が見えたりして商品イメージを低下させるということがない。
【先行技術文献】
【特許文献】
【０００５】
【特許文献１】特許第２５７８０７９号公報
【特許文献２】特許第２５１８８０４号公報
【特許文献３】特開２００１−２２６８０４号公報
【発明の概要】
【発明が解決しようとする課題】
【０００６】
これらの発明においては、いずれも実施の形態としてフォーマルなズボンの脇ポケットの部分に延出部と収容部の境界線を持ってきた場合が示されているが、Ｌポケットが前面に取付けられているジーンズ（Ｇパン）、綿パンを始めとする主としてカジュアルなパンツの場合に、図３３（ａ）に示されるように、これらの発明と同様に、Ｌポケット１０２の前中心ＦＣよりの側に延出部１０３Ｂと収容部１０３Ａの境界線を位置させると、以下のような問題が生ずる。
【０００７】
ここで、図３３（ａ）はウエストサイズ伸縮自在構造を採用したＬポケットを有するパンツのＬポケット周辺を表側から見て示す部分拡大図、（ｂ）は延出部と収容部を縫付ける前のＬポケット周辺を裏側から見て示す部分拡大図、（ｃ）は延出部と収容部を縫付けた後のＬポケット周辺を裏側から見て示す部分拡大図である。
【０００８】
図３３（ｂ）に示されるように、Ｌポケット１０２を有するパンツ１０１の裏側にはＬポケットの袋布１０５が縫付けられており、表側における延出部１０３Ｂと収容部１０３Ａの境界線をそのまま真っ直ぐに裏側へ延長すると、裏側において袋布１０５が境界線からはみ出して見えて見栄えが悪くなり、また着用者等が興味本位で延出部１０３Ｂの下端をめくって見ると主弾性材１１０等の内部構造が見えるため、収容部１０３Ａの端部は袋布１０５を覆い隠すように斜めに突出させることになる。
【０００９】
これによって、パンツ１０１の裏側の見栄えも損なわれることはないが、図３３（ｃ）に示されるように、延出部１０３Ｂと収容部１０３Ａを裏側に縫付ける際に、部分１０６のみは袋布１０５を延出部１０３Ｂに縫付けてしまわないように手縫いで縫製する必要があり、ミシン縫いすることができないため手間がかかり、大量生産されるカジュアルなパンツ１０１の量産性を損なってしまう。
【００１０】
また、図３４（ａ），（ｂ）に示されるように、Ｌポケット１０２を有するカジュアルなパンツ１０１においてはベルト布ステッチ１０３ａ，１０３ｂが施されるため、延出部１０３Ｂの先端は収容部１０３Ａに対して摺動し易いように細くなっていることから、パンツ１０１のウエスト周りが伸びる際に延出部１０３Ｂが収容部１０３Ａから引き出される際に、延出部１０３Ｂが矢印のように下方へ下がってしまうため、上端において収容部１０３Ａの端との間に段差を生じて見栄えを損なうという問題があった。
【００１１】
この問題は、図３４（ｃ），（ｄ）に示されるように、延出部１０３Ｂが収容部１０３Ａに対して摺動して延出部１０３Ｂが引き出される際に、延出部１０３Ｂが矢印に示されるように上方へ上がるようにすることによって、上端において収容部１０３Ａの端との間に段差を生じず、見栄えが良くなって解決することができる。
【００１２】
ここで、図３４（ａ），（ｂ）はウエストサイズ伸縮自在構造を採用したＬポケットを有するパンツの延出部が収容部に対して摺動して延出部が引き出される場合の問題点を示す説明図、（ｃ），（ｄ）はウエストサイズ伸縮自在構造を採用したＬポケットを有するパンツの延出部が収容部に対して摺動して延出部が引き出される場合の問題点を解決する方法を示す説明図である。
【００１３】
更に、図３３（ｂ），（ｃ）に示されるように袋布１０５の端部１０５ａが上端まで輪になっていると、延出部１０３Ｂが収容部１０３Ａに対して摺動してパンツ１０１のウエスト周りが伸びる際に、袋布１０５の上端が延出部１０３Ｂの摺動に伴って引っ張られる結果、袋布１０５の上端が縫付けられている前身頃１０４の図の左端（表から見た場合にはＬポケット１０２の脇よりの端）が引き攣って、Ｌポケット１０２の周辺の見栄えが悪くなる。
【００１４】
そこで、これを防止するために、図３５（ａ）に示されるように、袋布１０５Ａの端部１０５Ａａの上端を分割してパイピング１０６Ａを施すことによって、袋布１０５Ａの上端の内側のみが延出部１０３Ｂの摺動に伴って引っ張られ、袋布１０５Ａの上端の外側が縫付けられている前身頃１０４の図の左端は引っ張られず、この部分が引き攣ることがなく、表側から見た場合でも良好な見栄えを保つことができる。
【００１５】
しかし、パイピング１０６Ａを施す際にも、図３５（ｂ）に示されるように、袋布１０５Ａの生地１００の上端に切れ込み１００ａを入れて分割して、この切れ込み１００ａを拡げてパイピングを施した場合には、ステッチ１０６ａが切れ込み１００ａの先端１００ｂに近づくにしたがって切れ込み１００ａの端に接近して、ステッチ１０６ａの縫代がパイピング１０６Ａの下端に行くほど少なくなるため、パイピング１０６Ａの下端部分１０６ｂの強度が弱くなってしまい、Ｌポケット１０２を有するパンツ１０１Ａを長期間履き続け、洗濯を何回も繰り替えすことによって、下端部分１０６ｂのステッチ１０６ａが解れてパイピング１０６Ａが外れてしまう場合があり、袋布１０５Ａが分割部分１００ａから破れてしまう恐れがあった。
【００１６】
ここで、図３５（ａ）はウエストサイズ伸縮自在構造を採用したＬポケットを有するパンツの延出部と収容部を縫付ける前のＬポケット周辺を裏側から見て示す部分拡大図、（ｂ）はＬポケットの袋布にパイピングを施す場合の問題点を示す説明図である。
【００１７】
このような問題点は、図３６（ａ），（ｂ）に示されるようなＬポケットの変形でありＳ字形のライン（外縁）１０４Ｂ，１０４Ｃを有する所謂Ｓ字ポケット１０２Ｂ，１０２Ｃを備えたボトムズ１０１Ｂ，１０１Ｃにおいても、同様であった。また、図３６（ｃ），（ｄ）に示されるようなＬポケットの変形でありストレートなライン（外縁）１０４Ｄ，１０４Ｅを有するポケット１０２Ｄ，１０２Ｅを備えたボトムズ１０１Ｄ，１０１Ｅにおいても、同様であった。
【００１８】
なお、図３６（ａ），（ｂ）はＬポケットの一種でありＳ字形のラインを有するポケットを示す説明図、（ｃ），（ｄ）はＬポケットの一種でありストレートなラインを有するポケットを示す説明図である。
【００１９】
本明細書及び特許請求の範囲においては、図３６（ａ），（ｂ）に示されるようなＳ字形のラインを有する、一般にＳ字ポケットと称されるものも、また図３６（ｃ），（ｄ）に示されるようなストレートなラインを有するポケットも、Ｌポケットの一種であるため「Ｌポケット」に含まれるものとし、「Ｌポケット付きボトムズ」には図３６（ａ），（ｂ）に示されるようなＳ字ポケットを有するボトムズも、図３６（ｃ），（ｄ）に示されるようなストレートなラインを有するポケットを有するボトムズも含まれるものとする。
【００２０】
そこで、本発明においては、量産性を損なうことなく、見栄え・美観を良好に保ちつつＬポケットの前中心よりの側に延出部と収容部の境界線を位置させてウエストサイズを伸縮自在とすることができるＬポケット付きボトムズの提供を課題とする。
【００２１】
また、本発明においては、延出部が収容部に対して摺動してウエスト周りが伸びる際に延出部が上がるようにすることによって、延出部と収容部との段差を感じさせず、見栄えを良くすることができるＬポケット付きボトムズの提供をも課題とする。
【００２２】
更に、本発明においては、Ｌポケットの袋布の強度を維持して長期間の着用や洗濯の繰り返しにも耐えるとともに、着用時にＬポケットの周辺が引き攣って美観を損なうことのないＬポケット付きボトムズの提供をも課題とするものである。
【課題を解決するための手段】
【００２３】
請求項１の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、前記Ｌポケットの前中心よりの外縁の近傍に位置する前記ベルト部の重ね合せ部と、該重ね合せ部の一方のベルト部側に設けられてその一端が延出する前記ベルト部に形成された延出部と、前記重ね合せ部の他方のベルト部側に形成され、前記延出部を意匠面側から隠れるように収容する収容部と、前記延出部と前記収容部との間に両端が接続された主弾性材とを具備し、前記Ｌポケットの袋布を縫付ける際に、前記袋布の前中心よりの端の上部を分割して該分割部分にパイピングを施し、該パイピングの折り返し部分を摘み縫いして裏返して前記袋布を形成したものである。
【００２４】
請求項２の発明に係るＬポケット付きボトムズは、請求項１の構成において、前記袋布を形成する際に、前記袋布の前中心よりの折り返し部分を前記分割部分よりも内側に前記パイピングの幅の分だけずらしたものである。
【００２５】
請求項３の発明に係るＬポケット付きボトムズは、請求項１または請求項２に記載の構成において、前記Ｌポケットの外縁に沿って前記Ｌポケットの袋布を縫付ける際に前記外縁上部を前記ベルト部と略垂直になるように立てるとともに前記外縁中央部を長さ方向に縮めた状態で裏側から圧縮してプレスした後、その上から伸縮性を有する生地を前記外縁の裏側に沿って帯状に縫付け、または貼り付けたものである。
【００２６】
ここで、「伸縮性を有する生地」としては、パワーネット、スパンレックス、トリコット、ニット生地、ポリウレタンが１％から３０％混入されたポリウレタン混合生地、綿ストレッチ、ストレッチレース、バイアステープ（裏地、トリコット、等）、ゴムテープ、ストレッチサテン、等がある。
【００２７】
請求項４の発明に係るＬポケット付きボトムズは、請求項１または請求項２に記載の構成において、前記Ｌポケットの外縁に沿って前記Ｌポケットの袋布を縫付ける際に前記外縁上部を前記ベルト部の長手方向と略垂直になるように立てるとともに前記外縁中央部に１以上の切欠きを入れて前記切欠きを縮めた状態で上から伸縮性を有する生地を前記外縁の裏側に沿って帯状に縫付け、または貼り付けたものである。
【００２８】
請求項５の発明に係るＬポケット付きボトムズは、請求項１または請求項２に記載の構成において、前記Ｌポケットの外縁を前記ベルト部に接する上部から下部にいくに従って前記前中心方向に突出するように湾曲した形状としたものである。
【００２９】
請求項６の発明に係るＬポケット付きボトムズは、請求項１乃至請求項５のいずれか１つの構成において、前記Ｌポケットの袋布の前記前中心側の端の折り返し部分の上端にパイピングを施したものである。
【００３０】
請求項７の発明に係るＬポケット付きボトムズは、請求項１乃至請求項６のいずれか１つの構成において、前記収容部の端を覆うように、かつ、前記延出部の移動を妨げないように前記ベルト部にベルト通しを縫付けたものである。
【００３１】
請求項８の発明に係るＬポケット付きボトムズは、請求項１乃至請求項７のいずれか１つの構成において、前記主弾性材にはその最大伸びを制限する伸び止め材を並設したものである。
【００３２】
請求項９の発明に係るＬポケット付きボトムズは、請求項８の構成において、前記伸び止め材は前記主弾性材の前中心よりの端において前記主弾性材とともに前記ベルト部に縫付けられ、前記主弾性材の前記最大伸びに相当する長さだけ弛ませて前記主弾性材の脇よりの端にのみ縫付けられ、更に前記主弾性材の脇よりの端よりも突出して前記ベルト部の脇側に縫付けられたものである。
【００３３】
請求項１０の発明に係るＬポケット付きボトムズは、請求項１乃至請求項９のいずれか１つの構成において、前記主弾性材には、その最大伸びを制限する伸び止め材の役割をするストッパー部分を並設し、前記ストッパー部分は前記延出部と一体としたものである。
【００３４】
請求項１１の発明に係るＬポケット付きボトムズは、請求項１０の構成において、前記ストッパー部分は前記主弾性材の前中心よりの端において前記主弾性材とともに前記ベルト部に縫付けられ、前記主弾性材の前記最大伸びに相当する長さだけ弛ませて前記主弾性材の脇よりの端にのみ縫付けられ、更に前記主弾性材の脇よりの端よりも突出して前記ベルト部の脇側に縫付けられたものである。
【００３５】
請求項１２の発明に係るＬポケット付きボトムズは、請求項１乃至請求項１１のいずれか１つの構成において、前記収容部の開口近傍の内面に伸縮性を有しない生地からなる裏地または伸縮性を有しない生地からなる接着布を縫付け、または貼り付けたものである。ここで、「伸縮性を有しない生地」としては、ポリエステル系の生地、ナイロン系の生地、等があり、これらの生地は裏地やスレーキ（ジーンズのＬポケットの袋布）、リボンテープ等の部材に用いられる。
【発明の効果】
【００３６】
請求項１の発明に係るＬポケット付きボトムズは、芯材を有するベルト部に主弾性材を接続することによって、ベルト部の見掛け上の長さを伸縮自在としたウエスト周り伸縮自在構造を有するＬポケット付きボトムズであって、Ｌポケットの前中心よりの外縁の近傍に位置するベルト部の重ね合せ部と、重ね合せ部の一方のベルト部側に設けられてその一端が延出するベルト部に形成された延出部と、重ね合せ部の他方のベルト部側に形成され、延出部を意匠面側から隠れるように収容する収容部と、延出部と収容部との間に両端が接続された主弾性材とを具備し、Ｌポケットの袋布を縫付ける際に、袋布の前中心よりの端の上部を分割して分割部分にパイピングを施し、パイピングの折り返し部分を摘み縫いして裏返して袋布を形成したものである。
【００３７】
このようにパイピングの折り返し部分を摘み縫いして裏返して袋布が縫い上げられていることによって、パイピングの折り返し部分が強化されて、長期間の着用や洗濯の繰り返しによってパイピングの折り返し部分に力が掛かっても、パイピングの折り返し部分が解れることがない。
【００３８】
そして、袋布の前中心よりの端の上部を分割して分割部分にパイピングを施しているため、袋布の上端の内側のみが延出部の摺動に伴って引っ張られ、袋布の上端の外側が縫付けられている前身頃の左端は引っ張られず、この部分が引き攣ることがなく、表側から見た場合でも良好な見栄えを保つことができる。
【００３９】
このようにして、Ｌポケットの袋布の強度を維持して長期間の着用や洗濯の繰り返しにも耐えるとともに、着用時にＬポケットの周辺が引き攣って美観を損なうことのないＬポケット付きボトムズとなる。
【００４０】
請求項２の発明に係るＬポケット付きボトムズにおいては、袋布を形成する際に、袋布の前中心よりの折り返し部分を分割部分よりも内側にパイピングの幅の分だけずらしている。
【００４１】
これによって、Ｌポケット付きボトムズを裏側から見た場合でも、パイピングが袋布の前中心よりの折り返し部分の内側に隠れて見えないため、より一層見栄えが向上する。また、Ｌポケット付きボトムズを裏側から見た状態で延出部を収容部から引き出しても、パイピングの延出部に縫付けられた側は袋布の折り返し部分までしか移動しないため、パイピングが見えることはない。
【００４２】
このようにして、商品として陳列されている際にもより一層見栄えが向上し、Ｌポケットの袋布の強度を維持して長期間の着用や洗濯の繰り返しにも耐えるとともに、着用時にＬポケットの周辺が引き攣って美観を損なうことのないＬポケット付きボトムズとなる。
【００４３】
請求項３の発明に係るＬポケット付きボトムズにおいては、Ｌポケットの外縁に沿ってＬポケットの袋布を縫付ける際に外縁上部をベルト部と略垂直になるように立てるとともに外縁中央部を長さ方向に縮めた状態で裏側から圧縮してプレスした後、その上から伸縮性を有する生地を外縁の裏側に沿って帯状に縫付け、または貼り付けている。
【００４４】
このように、外縁中央部を長さ方向に縮めた状態で裏側から（例えば、アイロン等により）プレスして上から伸縮性を有する生地を帯状に縫付け、または貼り付けてあるため、ウエスト周り伸縮自在構造によってウエスト周りが伸びて延出部が収容部から抜き出される方向に移動する際に、Ｌポケットの外縁上部も前中心方向に引っ張られるが、外縁中央部が上述したように伸縮自在の構造になっているため滑らかに伸びて追従し、Ｌポケットの周辺に従来のようなシワがよって見栄えを損ねることもない。
【００４５】
そして、ウエスト周りを伸ばそうとする力が解除されると、延出部と収容部との間に両端が接続された主弾性材によって再び延出部が収容部内に収容される方向に移動するが、この際にもＬポケットの外縁中央部が伸縮自在の構造になっているため滑らかに縮んで追従し、綺麗にもとの状態に復帰する。
【００４６】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００４７】
請求項４の発明に係るＬポケット付きボトムズにおいては、Ｌポケットの外縁に沿ってＬポケットの袋布を縫付ける際に外縁上部をベルト部の長手方向と略垂直になるように立てるとともに外縁中央部に１以上の切欠きを入れて切欠きを縮めた状態で上から伸縮性を有する生地を外縁の裏側に沿って帯状に縫付け、または貼り付けている。
【００４８】
このように、外縁中央部に１以上の切欠きを入れて切欠きを縮めた状態で上から伸縮性を有する生地を帯状に縫付け、または貼り付けてあるため、ウエスト周り伸縮自在構造によってウエスト周りが伸びて延出部が収容部から抜き出される方向に移動する際に、Ｌポケットの外縁上部も前中心方向に引っ張られるが、外縁中央部が上述したように伸縮自在の構造になっているため滑らかに伸びて追従し、Ｌポケットの周辺に従来のようなシワがよって見栄えを損ねることもない。
【００４９】
また、外縁中央部を長さ方向に縮めた状態で裏側からアイロン等によりプレスする代わりに、外縁中央部に１以上の切欠きを入れて切欠きを縮めた状態で上から伸縮性を有する生地を帯状に縫付け、または貼り付けて外縁中央部を伸縮自在の構造にしているため、製造工程がより簡単になり短時間で製造することができる。そして、ウエスト周りを伸ばそうとする力が解除されると、延出部と収容部との間に両端が接続された主弾性材によって再び延出部が収容部内に収容される方向に移動するが、この際にもＬポケットの外縁中央部が伸縮自在の構造になっているため滑らかに縮んで追従し、綺麗にもとの状態に復帰する。
【００５０】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００５１】
請求項５の発明に係るＬポケット付きボトムズにおいては、Ｌポケットの外縁をベルト部に接する上部から下部にいくに従って前中心方向に突出するように湾曲した形状としている。
【００５２】
このように、Ｌポケットの外縁中央部が前中心方向に突出するように湾曲した外縁形状を有しているため、ウエスト周り伸縮自在構造によってウエスト周りが伸びて延出部が収容部から抜き出される方向に移動する際に、Ｌポケットの外縁上部も前中心方向に引っ張られるが、外縁中央部が外縁上部よりも前中心方向に突出しているため外縁上部が滑らかに追従することができ、Ｌポケットの周辺に従来のようなシワがよって見栄えを損ねることがない。
【００５３】
また、外縁中央部を長さ方向に縮めた状態で裏側からアイロン等によりプレスしたり、外縁中央部に１以上の切欠きを入れて切欠きを縮めた状態で上から伸縮性を有する生地を帯状に縫付けたりする必要がなく、生地の形状を変えるだけで良いため製造工程がより一層簡単になりより短時間で製造することができる。そして、ウエスト周りを伸ばそうとする力が解除されると、延出部と収容部との間に両端が接続された主弾性材によって再び延出部が収容部内に収容される方向に移動するが、この際にもＬポケットの外縁上部が滑らかに追従することができ、綺麗にもとのＬポケットの形状に復帰する。
【００５４】
このようにして、見栄え・美観を損なうことなく、Ｌポケットの前中心よりの側に延出部と収容部の境界線を位置させてウエストサイズを伸縮自在とすることができるＬポケット付きボトムズとなる。
【００５５】
請求項６の発明に係るＬポケット付きボトムズにおいては、Ｌポケットの袋布の前中心側の端の折り返し部分の上端にパイピングを施している。Ｌポケットの袋布の上端が生地を裁断したままの状態であると解れが生ずる場合があり、またＬポケットの袋布の上端は商品として陳列されている際には裏側から見える場合があるが、Ｌポケットの袋布の上端にパイピングを施すことによって、見栄えも良くなり、また上端が強化されて解れが生ずることもなくなる。
【００５６】
このようにして、商品として陳列されている際の見栄え・美観をも損なうことなく、Ｌポケットの前中心よりの側に延出部と収容部の境界線を位置させてウエストサイズを伸縮自在とすることができるＬポケット付きボトムズとなる。
【００５７】
請求項７の発明に係るＬポケット付きボトムズにおいては、収容部の端を覆うように、かつ、延出部の移動を妨げないようにベルト部にベルト通しを縫付けている。
【００５８】
請求項１乃至請求項６の発明に係るＬポケット付きボトムズにおいては、ウエスト周り伸縮自在構造を構成する延出部と収容部の重ね合せ部がＬポケットの前中心よりの外縁の近傍に位置するため、収容部の端がＬポケットの前中心よりの外縁とスムーズにつながるような外見となり、収容部の端を隠さなくとも美観を損なうことはない。しかし、ウエスト周り伸縮自在構造が大きく伸びた場合には、収容部の端とＬポケットの前中心よりの外縁とがずれるため、収容部の端が多少目立つことにもなる。
【００５９】
そこで、収容部の端を覆うようにベルト部にベルト通しを縫付けることによって、外観上収容部の端を完全に隠して収容部の端とＬポケットの前中心よりの外縁とがずれた場合においても、不自然な感じを与えないようにすることができる。
【００６０】
このようにして、請求項１乃至請求項６のいずれか１つの効果に加えて、見栄え・美観を損なうことなく、Ｌポケットの前中心よりの側に延出部と収容部の境界線を位置させてウエストサイズを伸縮自在とすることができるＬポケット付きボトムズとなる。
【００６１】
請求項８の発明に係るＬポケット付きボトムズにおいては、主弾性材にその最大伸びを制限する伸び止め材を並設している。従って、請求項１乃至請求項７のいずれか１つに記載の効果に加えて、主弾性材の伸びを制限することができるので、主弾性材に無理な引っ張り力が掛かるのを確実に防止することができ、主弾性材を長持ちさせることができる。
【００６２】
このようにして、見栄え・美観を損なうことなく、主弾性材を長持ちさせることができ、Ｌポケットの前中心よりの側に延出部と収容部の境界線を位置させてウエストサイズを伸縮自在とすることができるＬポケット付きボトムズとなる。
【００６３】
請求項９の発明に係るＬポケット付きボトムズにおいては、伸び止め材は主弾性材の前中心よりの端において主弾性材とともにベルト部に縫付けられ、主弾性材の最大伸びに相当する長さだけ弛ませて主弾性材の脇よりの端にのみ縫付けられ、更に主弾性材の脇よりの端よりも突出してベルト部の脇側に縫付けられている。
【００６４】
主弾性材の一方の端は伸び止め材の一方の端とともに延出部の先端に縫付けられるため、この縫付けのステッチはＬポケット付きボトムズの表側からは見えないが、主弾性材の他方の端は伸び止め材の他方の端とともに収容部に縫付けられるため、この縫付けのステッチはＬポケット付きボトムズの表側に出てしまう。主としてカジュアルなＬポケット付きボトムズにおいては、縫付けのステッチが見えてもさほど気にはならないものの、より美観を向上させるためには、この縫付けのステッチをベルト通しで隠すのが効果的である。
【００６５】
ところが、従来はベルト通しが全周で７ヵ所に付けられていたのが、近年はベルト通しを全周で５ヵ所だけに取り付けるのが主流になってきたため、隣り合ったベルト通しの間隔が長くなる傾向にある。ウエストベルト伸縮自在のＬポケット付きボトムズにおいて、収容部の開口部分をベルト通しで隠すと、次のベルト通しは離れた位置に来るために、伸び止め材の他方の端を主弾性材の他方の端とともに収容部に縫付けた場合には、この縫付けのステッチを次のベルト通しの真下に位置させることができず、隠すことができなかった。
【００６６】
そこで、本発明に係るＬポケット付きボトムズにおいては、伸び止め材の他端を延長することによって、伸び止め材の他端のみを収容部の開口部分から離れた位置にステッチで縫付けて、このステッチを次のベルト通しの真下に位置させて、表から見えないように隠せるようにした。なお、伸び止め材の中間部分は主弾性材の他方の端のみに縫付けられ、収容部の内側からは浮いた状態にあるため、外部の美観を損ねることはない。
【００６７】
なお、Ｇパン（ジーンズ）を始めとするカジュアルなＬポケット付きボトムズの場合にはバイオ洗い（バイオ加工）によって、酵素で布地の表面を瞬間的に壊してケバを取ったり、軽石を入れて洗うことによって佩き古されたヴィンテージジーンズの感じを出したりすることが多いため、係るバイオ洗いの衝撃に耐えられるように収容部を補強するために接着布芯を設けるが、この場合にはこの接着布芯をも貫通して伸び止め材の他端のみを収容部の開口部分から離れた位置にステッチで縫付けることになる。
【００６８】
このようにして、請求項８に記載の効果に加えて、見栄え・美観を損なうことなく、Ｌポケットの前中心よりの側に延出部と収容部の境界線を位置させてウエストサイズを伸縮自在とすることができるＬポケット付きボトムズとなる。
【００６９】
請求項１０の発明に係るＬポケット付きボトムズにおいては、主弾性材にその最大伸びを制限する伸び止め材の役割をするストッパー部分を並設し、ストッパー部分は延出部と一体としている。すなわち、延出部の先端を細くして延長し、共布で伸び止め材の役割をするストッパー部分を設けたものである。これによって、単独の伸び止め材をリボンテープ等で設ける必要がなく、縫製工程も簡略化されるため、コストが掛からず安価に主弾性材の寿命を延ばすことができる。
【００７０】
このようにして、請求項１乃至請求項９のいずれか１つに記載の効果に加えて、主弾性材の寿命を延ばすことができ、見栄え・美観を損なうことなく、Ｌポケットの前中心よりの側に延出部と収容部の境界線を位置させてウエストサイズを伸縮自在とすることができるＬポケット付きボトムズとなる。
【００７１】
請求項１１の発明に係るＬポケット付きボトムズにおいては、ストッパー部分が主弾性材の前中心よりの端において主弾性材とともにベルト部に縫付けられ、主弾性材の最大伸びに相当する長さだけ弛ませて主弾性材の脇よりの端にのみ縫付けられ、更に主弾性材の脇よりの端よりも突出してベルト部の脇側に縫付けられている。
【００７２】
これによって、単独の伸び止め材をリボンテープ等で設ける必要がなく、縫製工程も簡略化されるため、コストが掛からず安価に主弾性材の寿命を延ばすことができる。また、請求項１０の発明に係るＬポケット付きボトムズと同様の構成を採ることによって、ストッパー部分の先端のみを収容部の開口部分から離れた位置にステッチで縫付けて、このステッチを次のベルト通しの真下に位置させて、表から見えないように隠せるようにした。
【００７３】
このようにして、請求項１０に記載の効果に加えて、見栄え・美観を損なうことなく、Ｌポケットの前中心よりの側に延出部と収容部の境界線を位置させてウエストサイズを伸縮自在とすることができるＬポケット付きボトムズとなる。
【００７４】
請求項１２の発明に係るＬポケット付きボトムズにおいては、収容部の開口近傍の内面に伸縮性を有しない生地からなる裏地または伸縮性を有しない生地からなる接着布を縫付け、または貼り付けている。従って、請求項１乃至請求項１１のいずれか１つに記載の効果に加えて、主弾性材の弾性力により収容部に挿入された延出部が収容部内面の裏地または収容部内面の接着布のみと摺接し、芯材等と摺接することがなくなり、その接触抵抗を少なくすることができることから、延出部と収容部との滑らかな動きを得ることができる。
【００７５】
このようにして、延出部と収容部との滑らかな動きを得ることができ、見栄え・美観を損なうことなく、Ｌポケットの前中心よりの側に延出部と収容部の境界線を位置させてウエストサイズを伸縮自在とすることができるＬポケット付きボトムズとなる。
【図面の簡単な説明】
【００７６】
【図１】図１（ａ）は本発明の参考例１に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。
【図２】図２（ａ），（ｂ），（ｃ）は本発明の参考例１に係るＬポケット付きボトムズの要部裏面の縫製途中の構成を示す部品展開図である。
【図３】図３（ａ），（ｂ）は本発明の参考例１に係るＬポケット付きボトムズの縫製が完成した状態の裏側を示す部分拡大図である。
【図４】図４（ａ），（ｂ），（ｃ），（ｄ），（ｅ），（ｆ）は本発明の参考例１に係るＬポケット付きボトムズの左Ｌポケットの外縁の伸縮構造の作製手順を表側から見て示す説明図である。
【図５】図５（ａ），（ｂ）は本発明の参考例１の第１変形例に係るＬポケット付きボトムズの要部裏面の縫製途中の構成を示す部品展開図、（ｃ）は本発明の参考例１の第１変形例に係るＬポケット付きボトムズの縫製が完成した状態の裏側を示す部分拡大図である。
【図６】図６（ａ），（ｂ），（ｃ）は本発明の参考例１の第２変形例，第３変形例，第４変形例に係るＬポケット付きボトムズの縫製が完成した状態の裏側を示す部分拡大図である。
【図７】図７（ａ）は本発明の参考例２に係るＬポケット付きボトムズとしての綿パンの左Ｌポケットとその近傍のウエスト周りが縮んだ状態を示す部分拡大図、（ｂ）はウエスト周りが伸びた状態を示す部分拡大図、（ｃ），（ｄ）は左Ｌポケットの外縁の伸縮構造の作製手順を表側から見て示す説明図、（ｅ）は本発明の参考例２の変形例に係る綿パンの左Ｌポケットの外縁の伸縮構造を表側から見て示す説明図である。
【図８】図８（ａ）は本発明の参考例３に係るＬポケット付きボトムズとしての綿パンの左Ｌポケットとその近傍のウエスト周りが縮んだ状態を示す部分拡大図、（ｂ）はウエスト周りが伸びた状態を示す部分拡大図である。
【図９】図９（ａ）は本発明の参考例４に係るＬポケット付きボトムズとしての綿パンの左Ｌポケットとその近傍のウエスト周りが縮んだ状態を裏側から見て示す部分拡大図、（ｂ）はウエスト周りが伸びた状態を裏側から見て示す部分拡大図である。
【図１０】図１０（ａ）は本発明の参考例４の変形例に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。
【図１１】図１１（ａ）は本発明の参考例５に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。
【図１２】図１２（ａ）は本発明の参考例５の変形例に係るＬポケット付きボトムズのＬポケット近傍のベルト部分の内部構造を展開して示す部分展開拡大図、（ｂ）は本発明の参考例５の変形例に係るＬポケット付きボトムズのＬポケット近傍を表から見て示す部分拡大図、（ｃ）は本発明の参考例５に係るＬポケット付きボトムズのＬポケット近傍を表から見て更に拡大して示す部分拡大図である。
【図１３】図１３（ａ）は本発明の参考例６に係るＬポケット付きボトムズのＬポケット近傍のベルト部分の内部構造を展開して示す部分展開拡大図、（ｂ）は本発明の参考例６の第１変形例に係るＬポケット付きボトムズのＬポケット近傍のベルト部分の生地の裁断形状を示す部分拡大図、（ｃ）は本発明の参考例６の第１変形例に係るＬポケット付きボトムズのＬポケット近傍のベルト部分の内部構造を展開して示す部分展開拡大図である。
【図１４】図１４（ａ）は本発明の参考例６の第２変形例に係るＬポケット付きボトムズのＬポケット近傍のベルト部分の内部構造を展開して示す部分展開拡大図、（ｂ）は本発明の参考例６の第３変形例に係るＬポケット付きボトムズのＬポケット近傍のベルト部分の生地の裁断形状を示す部分拡大図、（ｃ）は本発明の参考例６の第３変形例に係るＬポケット付きボトムズのＬポケット近傍のベルト部分の内部構造を展開して示す部分展開拡大図である。
【図１５】図１５（ａ）は本発明の参考例７に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。
【図１６】図１６（ａ）は本発明の参考例７に係るＬポケット付きボトムズとしての綿パンの左Ｌポケットの要部裏面の縫製途中の構成を示す部品展開図、（ｂ）は本発明の参考例７に係るＬポケット付きボトムズの作用効果を示す説明図である。
【図１７】図１７（ａ），（ｂ）は本発明の参考例７に係る綿パンにベルト布ステッチを掛ける手順を示す部分拡大図である。
【図１８】図１８（ａ），（ｂ），（ｃ），（ｄ），（ｅ），（ｆ）は本発明の参考例７に係るＬポケット付きボトムズの左Ｌポケットの外縁の伸縮構造の作製手順を表側から見て示す説明図である。
【図１９】図１９（ａ）は本発明の参考例７の第１変形例に係るＬポケット付きボトムズの要部裏面の縫製途中の構成を示す部品展開図、（ｂ）は本発明の参考例７の第２変形例に係るＬポケット付きボトムズの要部裏面の縫製途中の構成を示す部品展開図、（ｃ）は本発明の参考例７の第３変形例に係るＬポケット付きボトムズの要部裏面の縫製途中の構成を示す部品展開図、（ｄ）は本発明の参考例７の第４変形例に係るＬポケット付きボトムズの要部裏面の縫製途中の構成を示す部品展開図である。
【図２０】図２０（ａ）は本発明の参考例８に係るＬポケット付きボトムズとしての綿パンの左Ｌポケットとその近傍のウエスト周りが縮んだ状態を示す部分拡大図、（ｂ）はウエスト周りが伸びた状態を示す部分拡大図、（ｃ），（ｄ）は左Ｌポケットの外縁の伸縮構造の作製手順を表側から見て示す説明図、（ｅ）は本発明の参考例８の変形例に係る綿パンの左Ｌポケットの外縁の伸縮構造を表側から見て示す説明図である。
【図２１】図２１（ａ）は本発明の参考例９に係るＬポケット付きボトムズとしての綿パンの左Ｌポケットとその近傍のウエスト周りが縮んだ状態を示す部分拡大図、（ｂ）はウエスト周りが伸びた状態を示す部分拡大図である。
【図２２】図２２（ａ）は本発明の参考例１０に係るＬポケット付きボトムズとしての綿パンの左Ｌポケットとその近傍のウエスト周りが縮んだ状態を裏側から見て示す部分拡大図、（ｂ）はウエスト周りが伸びた状態を裏側から見て示す部分拡大図である。
【図２３】図２３（ａ）は本発明の参考例１０の変形例に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。
【図２４】図２４（ａ）は本発明の参考例１１に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。
【図２５】図２５（ａ）は本発明の実施の形態１に係るＬポケット付きボトムズとしての綿パンの左Ｌポケットの要部裏面の縫製途中の構成を示す部品展開図、（ｂ）は本発明の実施の形態１に係るＬポケット付きボトムズの作用効果を示す説明図である。
【図２６】図２６（ａ），（ｂ），（ｃ），（ｄ）は本発明の実施の形態１に係るＬポケット付きボトムズとしての綿パンのＬポケットの袋布の縫製工程を示す説明図である。
【図２７】図２７（ａ），（ｂ），（ｃ），（ｄ），（ｅ），（ｆ）は本発明の実施の形態１に係るＬポケット付きボトムズの左Ｌポケットの外縁の伸縮構造の作製手順を表側から見て示す説明図である。
【図２８】図２８（ａ），（ｂ），（ｃ），（ｄ）は本発明の実施の形態１の第１変形例に係るＬポケット付きボトムズとしての綿パンのＬポケットの袋布の縫製工程を示す説明図である。
【図２９】図２９（ａ），（ｂ），（ｃ），（ｄ）は本発明の実施の形態１の第２変形例に係るＬポケット付きボトムズとしての綿パンのＬポケットの袋布の縫製工程を示す説明図である。
【図３０】図３０（ａ），（ｂ），（ｃ），（ｄ），（ｅ）は本発明の実施の形態１の第３変形例に係るＬポケット付きボトムズとしての綿パンのＬポケットの袋布の縫製工程を示す説明図である。
【図３１】図３１（ａ），（ｂ），（ｃ），（ｄ）は本発明の実施の形態１の第４変形例に係るＬポケット付きボトムズとしての綿パンのＬポケットの袋布の縫製工程を示す説明図である。
【図３２】図３２（ａ）は本発明の実施の形態２に係るＬポケット付きボトムズとしての綿パンの左Ｌポケットとその近傍のウエスト周りが縮んだ状態を示す部分拡大図、（ｂ）はウエスト周りが伸びた状態を示す部分拡大図、（ｃ），（ｄ）は左Ｌポケットの外縁の伸縮構造の作製手順を表側から見て示す説明図、（ｅ）は本発明の実施の形態２の変形例に係る綿パンの左Ｌポケットの外縁の伸縮構造を表側から見て示す説明図である。
【図３３】図３３（ａ）はウエストサイズ伸縮自在構造を採用したＬポケットを有するパンツのＬポケット周辺を表側から見て示す部分拡大図、（ｂ）は延出部と収容部を縫付ける前のＬポケット周辺を裏側から見て示す部分拡大図、（ｃ）は延出部と収容部を縫付けた後のＬポケット周辺を裏側から見て示す部分拡大図である。
【図３４】図３４（ａ），（ｂ）はウエストサイズ伸縮自在構造を採用したＬポケットを有するパンツの延出部が収容部に対して摺動して延出部が引き出される場合の問題点を示す説明図、（ｃ），（ｄ）はウエストサイズ伸縮自在構造を採用したＬポケットを有するパンツの延出部が収容部に対して摺動して延出部が引き出される場合の問題点を解決する方法を示す説明図である。
【図３５】図３５（ａ）はウエストサイズ伸縮自在構造を採用したＬポケットを有するパンツの延出部と収容部を縫付ける前のＬポケット周辺を裏側から見て示す部分拡大図、（ｂ）はＬポケットの袋布にパイピングを施す場合の問題点を示す説明図である。
【図３６】図３６（ａ），（ｂ）はＬポケットの一種でありＳ字形のラインを有するポケットを示す説明図、（ｃ），（ｄ）はＬポケットの一種でありストレートなラインを有するポケットを示す説明図である。
【発明を実施するための形態】
【００７７】
以下、本発明の実施の形態に係るＬポケット付きボトムズについて、図面を参照しつつ説明する。なお、実施の形態及び参考例において、実施の形態及び参考例の部分と同一の記号及び同一の符号は、実施の形態または参考例と同一または相当する機能部分を意味し、実施の形態及び参考例相互の同一の記号及び同一の符号は、それら実施の形態に共通する機能部分であるから、ここでは重複する詳細な説明を省略する。
【００７８】
参考例１
まず、本発明の参考例１に係るＬポケット付きボトムズについて、図１乃至図６を参照して説明する。
【００７９】
図１（ａ）は本発明の参考例１に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。図２（ａ），（ｂ），（ｃ）は本発明の参考例１に係るＬポケット付きボトムズの要部裏面の縫製途中の構成を示す部品展開図である。図３（ａ），（ｂ）は本発明の参考例１に係るＬポケット付きボトムズの縫製が完成した状態の裏側を示す部分拡大図である。
【００８０】
図４（ａ），（ｂ），（ｃ），（ｄ），（ｅ），（ｆ）は本発明の参考例１に係るＬポケット付きボトムズの左Ｌポケットの外縁の伸縮構造の作製手順を表側から見て示す説明図である。図５（ａ），（ｂ）は本発明の参考例１の第１変形例に係るＬポケット付きボトムズの要部裏面の縫製途中の構成を示す部品展開図、（ｃ）は本発明の参考例１の第１変形例に係るＬポケット付きボトムズの縫製が完成した状態の裏側を示す部分拡大図である。図６（ａ），（ｂ），（ｃ）は本発明の参考例１の第２変形例，第３変形例，第４変形例に係るＬポケット付きボトムズの縫製が完成した状態の裏側を示す部分拡大図である。
【００８１】
図１（ａ）に示されるように、参考例１に係るＬポケット付きボトムズとしての綿パン１は、前身頃４のベルト部３の近傍に左右１対のＬポケット２を有しており、これらのＬポケット２のポケット口外縁２Ａの前中心ＦＣよりの部分（外縁２Ａの上部）の近傍に、ベルト部３の見掛け上の長さを伸縮自在としたウエスト周り伸縮自在構造を有している。
【００８２】
すなわち、後で詳細に説明するように、ベルト部３には左右１対のＬポケット２のポケット口外縁２Ａの近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープで接続されることによって、ベルト部３の見掛け上の長さを伸縮自在としている。
【００８３】
これによって、ベルト部３に引っ張り力が掛かっていない場合には、図１（ｂ）に示されるようにＬポケット２の外縁２Ａの上部が収容部３Ａの端と一致しており、ベルト部３に引っ張り力が掛かってウエスト周りが伸びると、図１（ｃ）に示されるようにＬポケット２の外縁２Ａの上部も延出部３Ｂと一体に移動する。また、Ｌポケット２の袋布が表側から見えないようにするために、前身頃４と共地の綿生地からなる当て布９が左右１対のＬポケット２の外側に縫付けられている。
【００８４】
なお、図１（ｂ），（ｃ）に示されるように、収容部３Ａ及び延出部３Ｂの上下端にはベルト布ステッチ３ａ，３ｂが施されている。ジーンズ（Ｇパン）、綿パンを始めとするカジュアルなボトムズにおいては、このようなベルト布ステッチ３ａ，３ｂを施すのが一般的であるが、Ｌポケット付きボトムズにおいてもドレス調の婦人用のボトムズではベルト布ステッチを施さない場合もある。以下の各図においては、図を見易くするため、一部の図を除いてベルト布ステッチの図示を省略する。
【００８５】
次に、ウエスト周り伸縮自在構造について、図２を参照して説明する。図２は左側のＬポケット２の近傍を綿パン１の裏側から見て示したものである。図２（ａ）に示されるように、収容部３Ａを構成するベルト布３Ａａは綿パン１の前身頃４と共地の綿生地であり、延出部３Ｂを構成するベルト布３Ｂａも綿パン１の前身頃４と共地の綿生地である。図２（ａ）に示されるように、収容部３Ａ及び延出部３Ｂ内には、芯材としてのソフト芯ＳＣ及びハード芯ＨＣが、アイロンプレスによって貼り付けられている。
【００８６】
ここで、図２（ａ），（ｂ）に示されるように、収容部３Ａの端３Ａｂは表裏ともベルト部３の長手方向に対して略垂直であり、収容部３Ａの裏側の端からＬポケット２の袋布５の前中心ＦＣよりの端までの間に亘って、延出部３Ｂの内部に長方形の伸縮性を有しない生地６の上端が縫付けられて、伸縮性を有しない生地６の下端がベルト部３の下端に縫付けられる。また、収容部３Ａを構成するベルト布３Ａａの開口部近傍の内側には、延出部３Ｂの滑りを良くするために、伸縮性を有しない生地としてのポリエステル系生地からなる接着布１３が、ソフト芯ＳＣ及びハード芯ＨＣの上からアイロンプレスによって貼り付けられている。
【００８７】
これら延出部３Ｂの先端と収容部３Ａの内側とが、収容部３Ａの内部において主弾性材としての幅の広いゴムテープ１０によって接続されている。更に、ゴムテープ１０には伸縮性のない生地からなる帯状の伸び止め材１１が縫付けられており、ゴムテープ１０に引っ張り力が掛かっても、この伸び止め材１１が折り畳まれている長さまでしか伸びることができない。
【００８８】
すなわち、伸び止め材１１によって、ゴムテープ１０の最大伸び長さが規定されている。これによって、ゴムテープ１０が過度に伸びるのを防止して、ゴムテープ１０が長持ちするようにしている。参考例１に係るＬポケット付きボトムズとしての綿パン１においては、伸び止め材１１の折り畳み部分の長さを約２ｃｍとして、ウエスト周りの伸縮長さを約２ｃｍとしている。
【００８９】
また、図２（ｃ）に示されるように、Ｌポケット２の袋布５の上端と延出部３Ｂの下端とを補助弾性材としての幅の細いゴムテープ１２で接続しており、これによってウエスト周り伸縮自在構造によって延出部３Ｂが移動する際にＬポケット２の袋布５の形状が崩れたりして見栄えが悪くなるのを防ぐ働きをしている。更に、図２（ｃ）に破線で示されるように、Ｌポケット２の袋布５の表側には、想像線で示されるＬポケット２の外縁２Ａの外側に袋布５の生地が見えるのを防ぐために、綿パン１の前身頃４と共地の綿生地からなる当て布９が当て布ステッチ９ａによって縫付けられている。
【００９０】
このような構造を有する収容部３Ａを輪にして下端で閉じるとともに、図２（ｂ）に示されるように、収容部３Ａの下端にＬポケット２の袋布５の側を縫付け、延出部３Ｂを閉じるとともに延出部３Ｂの下端にＬポケット２の外縁２Ａを形成する綿パン１の前身頃４の側を縫付ける。
【００９１】
図３（ａ）に示されるように、このようにして縫製が完成した参考例１に係るＬポケット付きボトムズとしての綿パン１は、収容部３Ａの表裏の端３Ａｂがベルト部３の長手方向に対して略垂直であるため、全ての縫製作業をミシン縫いで行うことができ、量産性を確保することができる。
【００９２】
また、延出部３Ｂの内部に長方形の伸縮性を有しない生地６の上端が縫付けられて、伸縮性を有しない生地６の下端がベルト部３の下端に縫付けられているために、図３（ｂ）に示されるように、着用者等が興味本位で延出部３Ｂの下端をめくっても伸縮性を有しない生地６の一部が見えるだけで、ゴムテープ１０，伸び止め材１１等の内部構造は見えないため、着用者等が内部構造を引き出して伸縮自在構造を壊してしまうという事態も確実に防止することができる。
【００９３】
更に、参考例１に係るＬポケット付きボトムズとしての綿パン１においては、ウエスト周り伸縮自在構造によってウエスト周りが伸びて延出部３Ｂが収容部３Ａから抜き出される方向に移動する際に、Ｌポケット２の周囲にシワ等を生ずることなくＬポケット２の外縁２Ａが滑らかに変形する。これは、Ｌポケット２の外縁２Ａが伸縮性を有しているからである。このＬポケット２の外縁２Ａに伸縮性を持たせる縫製方法について、図４を参照して説明する。図４（ａ），…，（ｆ）は、全て左側のＬポケット２を表側から見て縫製の手順を示したものである。
【００９４】
まず、図４（ａ）に示されるように、綿パン１の前身頃４の表側にＬポケット２の外縁２Ａの形状に合わせて裁断した袋布の生地５を、地縫い７によって縫付ける。次に、図４（ｂ）に示されるように、外縁２Ａの上部２Ａａを略垂直に立てながら外縁２Ａの中央部２Ａｂを長さ方向に縮めた状態として、この状態で外縁中央部２Ａｂの上からスチームアイロンを掛けて圧縮してプレスする。これによって、縮めた状態とした外縁中央部２Ａｂのシワは綺麗に潰れて、図４（ｃ）に示されるように滑らかな曲線となる。
【００９５】
この上から、図４（ｃ）に示されるように、伸縮性を有する生地としての帯状のパワーネット８を、地縫い７の縫い目に沿って縫付ける。そして、図４（ｄ）に示されるように、帯状のパワーネット８の縁に沿って外側の余った部分を切り取り、図４（ｅ）に示されるように袋布５を地縫い７の部分で折り返して、袋布５を向こう側、すなわち綿パン１の裏側にひっくり返す。そして、図４（ｆ）に示されるように新しいＬポケット２の外縁２Ａに沿ってダブルステッチ２ａを掛けることによって、外縁中央部２Ａｂが伸縮自在なＬポケット２の構造が完成する。
【００９６】
なお、参考例１においては、地縫い７を縫い易くするために地縫い７の外縁２Ａからの縫代を１．０ｃｍと大きく取ったので、図４（ｄ）に示されるように、帯状のパワーネット７の縁に沿って外側の余った部分を切り落とす工程が必要になっているが、最初から地縫い７の外縁２Ａからの縫代を０．５ｃｍと小さくしておけば、外側の余った部分を切り落とす工程が不要になるので、この方法によっても良い。
【００９７】
このように、参考例１に係るＬポケット付きボトムズとしての綿パン１においては、ウエスト周り伸縮自在構造を構成する延出部３Ｂと収容部３Ａの重ね合せ部がＬポケット２の前中心ＦＣよりの外縁２Ａの近傍に位置するため、収容部３Ａの端がＬポケット２の前中心ＦＣよりの外縁２Ａとスムーズにつながるような外見となり、収容部３Ａの端を隠さなくとも美観を損なうことがない。
【００９８】
また、外縁中央部２Ａｂを長さ方向に縮めた状態で裏側からスチームアイロンによりプレスして、その上から伸縮性を有する生地としての帯状のパワーネット８を縫付けてあるため、ウエスト周り伸縮自在構造によってウエスト周りが伸びて延出部３Ｂが収容部３Ａから抜き出される方向に移動する際に、Ｌポケット２の外縁上部２Ａａも前中心ＦＣ方向に引っ張られるが、外縁中央部２Ａｂが上述したように伸縮自在の構造になっているため滑らかに伸びて追従し、Ｌポケット２の周辺に従来のようなシワがよったりして見栄えを損ねることもない。
【００９９】
そして、ウエスト周りを伸ばそうとする力が解除されると、延出部３Ｂと収容部３Ａとの間に両端が接続された主弾性材としてのゴムテープ１０によって再び延出部３Ｂが収容部３Ａ内に収容される方向に移動するが、この際にもＬポケット２の外縁中央部２Ａｂが伸縮自在の構造になっているため滑らかに縮んで追従し、綺麗にもとの状態に復帰する。このように、参考例１に係るＬポケット付きボトムズとしての綿パン１においては、従来不可能とされてきたＬポケット付きボトムズにウエスト周り伸縮自在構造を付加することを、簡単な構造によって可能としたものである。
【０１００】
このようにして、参考例１に係るＬポケット付きボトムズとしての綿パン１においては、量産性を損なうことなく、見栄え・美観を良好に保ちつつＬポケットの前中心よりの側に延出部と収容部の境界線を位置させてウエストサイズを伸縮自在とすることができる。
【０１０１】
次に、参考例１の第１変形例に係るＬポケット付きボトムズとしての綿パン１Ａについて、図５を参照して説明する。参考例１の第１変形例に係る綿パン１Ａの基本的な構造は上述した参考例１に係る綿パン１と同様であるので、同一の部分には同一の符号を付して説明を省略する。
【０１０２】
図５（ａ），（ｂ）に示されるように、第１変形例に係る綿パン１Ａが綿パン１と異なるのは、延出部３Ｂの内部に伸縮性を有しない生地６を縫付ける代わりに、延出部の折り返し部分の内部に両面接着芯１４を挟んでアイロンでプレスして延出部３Ｂの折り返し部分を接着した点である。このようにして縫製されるＬポケット付きボトムズとしての綿パン１Ａは、収容部３Ａの表裏の端３Ａｂがベルト部３の長手方向に対して略垂直であるため、全ての縫製作業をミシン縫いで行うことができ、量産性を確保することができる。
【０１０３】
また、延出部３Ｂの内部に両面接着芯１４を挟んでアイロンでプレスして延出部３Ｂの折り返し部分を接着したために、図５（ｃ）に示されるように、着用者等が興味本位で延出部３Ｂの下端をめくっても袋布５の上端が見えるだけで、ゴムテープ１０，伸び止め材１１等の内部構造は見えないため、着用者等が内部構造を引き出して伸縮自在構造を壊してしまうという事態も確実に防止することができる。
【０１０４】
このようにして、参考例１の第１変形例に係るＬポケット付きボトムズとしての綿パン１Ａにおいては、量産性を損なうことなく、見栄え・美観を良好に保ちつつＬポケットの前中心よりの側に延出部と収容部の境界線を位置させてウエストサイズを伸縮自在とすることができる。
【０１０５】
次に、参考例１の第２変形例乃至第４変形例に係るＬポケット付きボトムズとしての綿パンについて、図６を参照して説明する。参考例１の第２変形例乃至第４変形例に係る綿パンの基本的な構造は上述した参考例１に係る綿パン１と同様であるので、同一の部分には同一の符号を付して説明を省略する。すなわち、図６（ａ），（ｂ），（ｃ）に示されるように、第２変形例乃至第４変形例に係る綿パン１Ｂ，１Ｃ，１Ｄにおいても、延出部３Ｂの内部に伸縮性を有しない生地６が縫付けられている。
【０１０６】
第２変形例乃至第４変形例に係る綿パン１Ｂ，１Ｃ，１Ｄが綿パン１と異なるのは、Ｌポケット２の袋布５の上端の始末の仕方のみである。すなわち、図６（ａ）に示されるように、参考例１の第２変形例に係る綿パン１Ｂにおいては、Ｌポケット２の袋布５の前中心ＦＣ側の折り返し部分５ａの上部に切り込みを入れる等によって分割部分を設けて、袋布５の上下方向にパイピング５ｄを施すとともに、袋布５の上端にもパイピング５ｃを施している。
【０１０７】
これによって、延出部３Ｂの移動に伴ってパイピング５ｄを施した分割部分が開いて、袋布５が捩れてＬポケット２の周辺にシワがよったりして見栄えが損なわれるのを防止するとともに、袋布５の上端にもパイピング５ｃを施すことによって、延出部３Ｂが移動する際の抵抗が少なくなってスムーズにウエスト周りが伸び、更に袋布５の上端が補強されるとともに、綿パン１Ｂが商品として陳列されている際の裏側の見栄えをも向上させることができる。
【０１０８】
また、図６（ｂ）に示されるように、参考例１の第３変形例に係る綿パン１Ｃにおいては、袋布５の上端を袋布５の生地を裁断したままの裁ち切り５ｂとしている。これによって、綿パン１Ｃの縫製工程が簡略化されて、低コストで製造することができる。更に、図６（ｃ）に示されるように、参考例１の第４変形例に係る綿パン１Ｄにおいては、袋布５の上端をロック始末５ｅとしている。これによって、縫製工程を複雑にすることなく、裁ち切り５ｂの場合よりは袋布５の上端を補強することができる。
【０１０９】
なお、参考例１の第２変形例乃至第４変形例に係るＬポケット付きボトムズとしての綿パン１Ｂ，１Ｃ，１Ｄにおいては、綿パン１と同様に延出部３Ｂの内部に伸縮性を有しない生地６を縫付けているが、その代わりに、参考例１の第１変形例に係る綿パン１Ａと同様に、延出部３Ｂの内部に両面接着芯１４を挟んでアイロンプレスすることによって、延出部３Ｂを接着する構成とすることもできる。
【０１１０】
また、参考例１においては、Ｌポケット２の袋布５の表側に綿パン１，１Ａ，１Ｂ，１Ｃ，１Ｄの前身頃４と共地の綿生地からなる当て布９を縫付けているが、前身頃４の素材や厚さによってはＬポケット２の袋布５自体を前身頃４と共地の綿生地から構成しても良い。
【０１１１】
参考例２
次に、本発明の参考例２に係るＬポケット付きボトムズについて、図７を参照して説明する。図７（ａ）は本発明の参考例２に係るＬポケット付きボトムズとしての綿パンの左Ｌポケットとその近傍のウエスト周りが縮んだ状態を示す部分拡大図、（ｂ）はウエスト周りが伸びた状態を示す部分拡大図、（ｃ），（ｄ）は左Ｌポケットの外縁の伸縮構造の作製手順を表側から見て示す説明図、（ｅ）は本発明の参考例２の変形例に係る綿パンの左Ｌポケットの外縁の伸縮構造を表側から見て示す説明図である。
【０１１２】
参考例２に係るＬポケット付きボトムズとしての綿パン１６は、参考例１に係るＬポケット付きボトムズとしての綿パン１と同様に、前身頃のベルト部の近傍に左右１対のＬポケット１７を有しており、これらのＬポケット１７のポケット口外縁１７Ａの前中心ＦＣよりの部分（外縁１７Ａの上部）の近傍に、ベルト部３の見掛け上の長さを伸縮自在としたウエスト周り伸縮自在構造を有している。
【０１１３】
すなわち、参考例１と同様に、ベルト部３には左右１対のＬポケット１７のポケット口外縁１７Ａの近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープ１０で接続されることによって、ベルト部３の見掛け上の長さを伸縮自在としている。
【０１１４】
また、収容部３Ａの端部が表裏ともベルト部３の長手方向に対して略垂直になっている点や、延出部３Ｂの内部に伸縮性を有しない生地６を縫付けた点、更にはＬポケット１７の袋布５の上端と延出部３Ｂの下端とを補助弾性材としての幅の細いゴムテープ１２で接続している点、ゴムテープ１０には伸縮性のない生地からなる帯状の伸び止め材１１が縫付けられている点等についても、参考例１に係る綿パン１と同様である。
【０１１５】
これによって、ベルト部３に引っ張り力が掛かっていない場合には、図７（ａ）に示されるようにＬポケット１７の外縁１７Ａの上部が収容部３Ａの端と一致しており、ベルト部３に引っ張り力が掛かってウエスト周りが伸びると、図７（ｂ）に示されるようにＬポケット１７の外縁１７Ａの上部も延出部３Ｂと一体に移動して、Ｌポケット１７の周囲にシワ等を生ずることなくＬポケット１７の外縁１７Ａが滑らかに変形する。これは、Ｌポケット１７の外縁１７Ａが伸縮性を有しているからである。
【０１１６】
このＬポケット１７の外縁１７Ａに伸縮性を持たせる縫製方法について、図７（ｃ），（ｄ）を参照して説明する。まず、図７（ｃ）に示されるように、綿パン１６の前身頃４の表側にＬポケット１７の外縁１７Ａの形状に合わせて裁断した袋布の生地５を、地縫い１８によって縫付け、次に外縁１７Ａの中央部に切欠き１７Ｂを設ける。そして、図７（ｄ）に示されるように、外縁１７Ａの上部を略垂直に立てながら外縁中央部の切欠き１７Ｂを縮めた状態として、この状態で外縁中央部の上から伸縮性を有する生地としての帯状のパワーネット１９を、地縫い１８の縫い目に沿って縫付ける。
【０１１７】
なお、参考例２においては、地縫い１８の縫代を最初から０．５ｃｍと小さく取ったため、参考例１のように外縁１７Ａの縁を切り落とす作業の必要がなくなるが、参考例１と同様に地縫い１８の縫代を１．０ｃｍ取っておいて、帯状のパワーネット１９を縫付けた後に外縁１７Ａの縁を切り落とす方法を採っても良い。
【０１１８】
後は、参考例１の図４（ｅ）に示されるのと同様に、袋布５を地縫い１８の部分で折り返して、袋布５を向こう側、すなわち綿パン１６の裏側にひっくり返す。そして、図４（ｆ）に示されるように新しいＬポケット１７の外縁１７Ａに沿ってダブルステッチ２ａを掛けることによって、外縁中央部が伸縮自在なＬポケット１７の構造が完成する。
【０１１９】
このように、参考例２においては、外縁１７Ａの中央部に切欠き１７Ｂを設けることによって外縁１７Ａの中央部が伸縮自在なＬポケット１７としているため、参考例１のようにスチームアイロンでプレスする工程を省くことができ、より容易に短時間でＬポケット１７の外縁１７Ａに伸縮性を持たせることができる。なお、切欠き１７Ｂは１つに限られるものではなく、図７（ｅ）に示されるように、３ヵ所に切欠き１７Ｂを設けてこれら３ヵ所の切欠き１７Ｂを縮めた状態として、この状態で外縁中央部の上から伸縮性を有する生地としての帯状のパワーネット１９を、地縫い１８の縫い目に沿って縫付けることもできる。
【０１２０】
これによって、ウエスト周り伸縮自在構造によってウエスト周りが伸びて延出部３Ｂが収容部３Ａから抜き出される方向に移動する際に、Ｌポケット１７の外縁上部１７Ａも前中心ＦＣ方向に引っ張られるが、外縁中央部１７Ａが上述したように伸縮自在の構造になっているため滑らかに伸びて追従し、Ｌポケット１７の周辺に従来のようなシワがよったりして見栄えを損ねることもない。
【０１２１】
そして、ウエスト周りを伸ばそうとする力が解除されると、延出部３Ｂと収容部３Ａとの間に両端が接続された主弾性材としてのゴムテープ１０によって再び延出部３Ｂが収容部３Ａ内に収容される方向に移動するが、この際にもＬポケット１７の外縁中央部１７Ａが伸縮自在の構造になっているため滑らかに縮んで追従し、綺麗にもとの状態に復帰する。このように、参考例２に係るＬポケット付きボトムズとしての綿パン１６においては、従来不可能とされてきたＬポケット付きボトムズにウエスト周り伸縮自在構造を付加することを、簡単な構造によって可能としたものである。
【０１２２】
このようにして、参考例２に係るＬポケット付きボトムズとしての綿パン１６においては、量産性を損なうことなく、見栄え・美観を良好に保ちつつ、Ｌポケット１７の前中心ＦＣよりの側に延出部３Ｂと収容部３Ａの境界線を位置させてウエストサイズを伸縮自在とすることができる。
【０１２３】
参考例３
次に、本発明の参考例３に係るＬポケット付きボトムズについて、図８を参照して説明する。図８（ａ）は本発明の参考例３に係るＬポケット付きボトムズとしての綿パンの左Ｌポケットとその近傍のウエスト周りが縮んだ状態を示す部分拡大図、（ｂ）はウエスト周りが伸びた状態を示す部分拡大図である。
【０１２４】
参考例３に係るＬポケット付きボトムズとしての綿パン２１は、前身頃のベルト部３の近傍に左右１対のＬポケット２２を有しており、これらのＬポケット２２のポケット口外縁２２Ａの前中心ＦＣよりの部分（外縁２２Ａの上部）の近傍に、ベルト部３の見掛け上の長さを伸縮自在としたウエスト周り伸縮自在構造を有している。
【０１２５】
すなわち、参考例１、参考例２と同様に、ベルト部３には左右１対のＬポケット２２のポケット口外縁２２Ａの近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープ１０で接続されることによって、ベルト部３の見掛け上の長さを伸縮自在としている。
【０１２６】
また、収容部３Ａの端部が表裏ともベルト部３の長手方向に対して略垂直になっている点や、延出部３Ｂの内部に伸縮性を有しない生地６を縫付けた点、更にはＬポケット２２の袋布５の上端と延出部３Ｂの下端とを補助弾性材としての幅の細いゴムテープ１２で接続している点、ゴムテープ１０には伸縮性のない生地からなる帯状の伸び止め材１１が縫付けられている点等についても、参考例１に係る綿パン１と同様である。
【０１２７】
これによって、ベルト部３に引っ張り力が掛かっていない場合には、図８（ａ）に示されるようにＬポケット２２の外縁２２Ａの上部が収容部３Ａの端と一致しており、ベルト部３に引っ張り力が掛かってウエスト周りが伸びると、図８（ｂ）に示されるようにＬポケット２２の外縁２２Ａの上部も延出部３Ｂと一体に移動して、Ｌポケット２２の周囲にシワ等を生ずることなくＬポケット２２の外縁２２Ａが滑らかに変形する。
【０１２８】
この理由は、図８（ａ）に示されるように、Ｌポケット２２の外縁２２Ａをベルト部３に接する上部から下部にいくに従って前中心方向ＦＣに突出するように湾曲した形状としたためである。
【０１２９】
これによって、ウエスト周り伸縮自在構造によってウエスト周りが伸びて延出部３Ｂが収容部３Ａから抜き出される方向に移動する際に、Ｌポケット２２の外縁２２Ａの上部も前中心ＦＣの方向に引っ張られるが、外縁２２Ａの中央部が外縁２２Ａの上部よりも前中心ＦＣの方向に突出しているため外縁２２Ａの上部が滑らかに追従することができ、Ｌポケット２２の周辺に従来のようなシワがよったりして見栄えを損ねることがない。
【０１３０】
更に、外縁２２Ａの中央部を長さ方向に縮めた状態で裏側からアイロン等によりプレスしたり、外縁２２Ａの中央部に１以上の切欠きを入れて切欠きを縮めた状態で上から伸縮性を有する生地を帯状に縫付けたりする必要がなく、生地の形状を変えるだけで良いため製造工程がより一層簡単になりより短時間で製造することができる。
【０１３１】
そして、ウエスト周りを伸ばそうとする力が解除されると、延出部３Ｂと収容部３Ａとの間に両端が接続された主弾性材としてのゴムテープ１０によって再び延出部３Ｂが収容部３Ａ内に収容される方向に移動するが、この際にもＬポケット２２の外縁２２Ａの上部が滑らかに追従することができ、綺麗にもとのＬポケット２２の形状に復帰する。このように、参考例３に係るＬポケット付きボトムズとしての綿パン２１においては、従来不可能とされてきたＬポケット付きボトムズにウエスト周り伸縮自在構造を付加することを、極めて簡単な構造によって可能としたものである。
【０１３２】
このようにして、参考例３に係るＬポケット付きボトムズとしての綿パン２１においては、量産性を損なうことなく、見栄え・美観を良好に保ちつつ、Ｌポケット２２の前中心ＦＣよりの側に延出部３Ｂと収容部３Ａの境界線を位置させてウエストサイズを伸縮自在とすることができる。
【０１３３】
なお、参考例３においても、Ｌポケット２２の袋布５の表側に綿パン２１の前身頃４と共地の綿生地からなる当て布９を縫付けているが、前身頃４の素材や厚さによってはＬポケット２２の袋布５自体を前身頃４と共地の綿生地から構成しても良い。
【０１３４】
参考例４
次に、本発明の参考例４に係るＬポケット付きボトムズについて、図９及び図１０を参照して説明する。
【０１３５】
図９（ａ）は本発明の参考例４に係るＬポケット付きボトムズとしての綿パンの左Ｌポケットとその近傍のウエスト周りが縮んだ状態を裏側から見て示す部分拡大図、（ｂ）はウエスト周りが伸びた状態を裏側から見て示す部分拡大図である。図１０（ａ）は本発明の参考例４の変形例に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。
【０１３６】
参考例４に係るＬポケット付きボトムズとしての綿パンは、参考例１に係るＬポケット付きボトムズとしての綿パン１と同様に、前身頃のベルト部の近傍に左右１対のＬポケットを有しており、これらのＬポケットのポケット口外縁の前中心よりの部分の近傍に、ベルト部３の見掛け上の長さを伸縮自在としたウエスト周り伸縮自在構造を有している。
【０１３７】
すなわち、参考例１と同様に、ベルト部３には左右１対のＬポケットのポケット口外縁の近傍に、収容部３Ａとその収容部３Ａ内に挿入される延出部３Ｂからなる重ね合せ部が形成されており、延出部３Ｂの先端と収容部３Ａとが収容部３Ａ内において主弾性材としてのゴムテープ１０で接続されることによって、ベルト部３の見掛け上の長さを伸縮自在としている。
【０１３８】
また、収容部３Ａの端部が表裏ともベルト部３の長手方向に対して略垂直になっている点や、延出部３Ｂの内部に伸縮性を有しない生地６を縫付けた点、更にはＬポケットの袋布の上端と延出部３Ｂの下端とを補助弾性材としての幅の細いゴムテープ１２で接続している点、ゴムテープ１０には伸縮性のない生地からなる帯状の伸び止め材１１が縫付けられている点等についても、参考例１に係る綿パン１と同様である。
【０１３９】
図９（ａ）に示されるように、参考例４に係るＬポケット付きボトムズとしての綿パン２５においては、Ｌポケットの袋布２６の前中心ＦＣの側の端の折り返し部分の上部にタック２７を設けており、このタック２７の近傍にウエスト周り伸縮自在構造を構成する収容部３Ａと延出部３Ｂの境界線を位置させている。したがって、タック２７を形成する場合の位置決めが極めて容易であり、またＬポケットの外縁２Ａの上部は、表側における収容部３Ａの端と一致しているため、ベルト通しで隠さなくても美観を損ねることはない。
【０１４０】
そして、ウエスト伸縮機構によって延出部３Ｂが移動する場合には、図９（ｂ）に示されるように、それに伴ってＬポケットの袋布袋布２６が移動するのに従ってタック２７が開くため、Ｌポケットの袋布２６が捩れたり引きつったりすることがなく、かかる捩れや引きつりが表側に響いて見栄えを損ねることが確実に防止される。ここで、タック２７の襞の幅はウエスト周り伸縮自在構造により伸縮する分より大きいことが好ましい。これによって、Ｌポケット付きボトムズ２５のウエスト周りがウエスト周り伸縮自在構造の一杯まで伸びた場合においても、タック２７が余裕を持って開くことができるために引っ張り力を確実に逃がすことができる。
【０１４１】
かかるタック２７を設けたＬポケットの袋布２６の構造は、単独でも十分にＬポケット付きボトムズとしての綿パン２５のウエスト周りが伸縮する際に、引っ張り力を逃がすことができて、表から見たＬポケット２の周囲にシワ等を生ずることを効果的に防止することができる。また、上記参考例１乃至参考例３に係るＬポケット付きボトムズとしての綿パン１，１６，２１におけるＬポケットの外縁の構造と併用した場合には、Ｌポケット付きボトムズ１，１６，２１のウエスト周りが伸縮する際に表から見たＬポケットの周囲にシワ等を生ずることを、より一層効果的に防止することができる。
【０１４２】
また、図１０（ａ）に示されるように、参考例４の変形例に係るＬポケット付きボトムズとしての綿パン２５Ａにおいては、Ｌポケットの袋布２８の前中心ＦＣの側の端の折り返し部分の上部を余らせることによって襞のないタック２９を設けており、このタック２９の近傍にウエスト周り伸縮自在構造を構成する収容部３Ａと延出部３Ｂの境界線を位置させている。したがって、タック２９を形成する場合の位置決めが極めて容易であり、またＬポケットの外縁２Ａの上部は、表側における収容部３Ａの端と一致しているため、ベルト通しで隠さなくても美観を損ねることはない。
【０１４３】
そして、ウエスト伸縮機構によって延出部３Ｂが移動する場合には、図１０（ｂ）に示されるように、それに伴ってＬポケットの袋布２８が移動するのに従ってタック２９が開くため、Ｌポケットの袋布２８が捩れたり引きつったりすることがなく、かかる捩れや引きつりが表側に響いて見栄えを損ねることが確実に防止される。ここで、タック２９の開く幅はウエスト周り伸縮自在構造により伸縮する分より大きいことが好ましい。これによって、Ｌポケット付きボトムズ２５Ａのウエスト周りがウエスト周り伸縮自在構造の一杯まで伸びた場合においても、タック２９が余裕を持って開くことができるために引っ張り力を確実に逃がすことができる。
【０１４４】
かかるタック２９を設けたＬポケットの袋布２８の構造は、単独でも十分にＬポケット付きボトムズとしての綿パン２５Ａのウエスト周りが伸縮する際に、引っ張り力を逃がすことができて、表から見たＬポケット２の周囲にシワ等を生ずることを効果的に防止することができる。また、上記参考例１乃至参考例３に係るＬポケット付きボトムズとしての綿パン１，１６，２１におけるＬポケットの外縁の構造と併用した場合には、Ｌポケット付きボトムズ１，１６，２１のウエスト周りが伸縮する際に表から見たＬポケットの周囲にシワ等を生ずることを、より一層効果的に防止することができる。
【０１４５】
このようにして、参考例４に係るＬポケット付きボトムズとしての綿パン２５，２５Ａにおいては、見栄え・美観を損なうことなく、Ｌポケットの前中心よりの側に延出部と収容部の境界線を位置させてウエストサイズを伸縮自在とすることができる。
【０１４６】
参考例５
次に、本発明の参考例５に係るＬポケット付きボトムズについて、図１１及び図１２を参照して説明する。
【０１４７】
図１１（ａ）は本発明の参考例５に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。図１２（ａ）は本発明の参考例５の変形例に係るＬポケット付きボトムズのＬポケット近傍のベルト部分の内部構造を展開して示す部分展開拡大図、（ｂ）は本発明の参考例５の変形例に係るＬポケット付きボトムズのＬポケット近傍を表から見て示す部分拡大図、（ｃ）は本発明の参考例５に係るＬポケット付きボトムズのＬポケット近傍を表から見て更に拡大して示す部分拡大図である。
【０１４８】
なお、参考例５に係るＬポケット付きボトムズとしての綿パン１ＥのＬポケット及びその外縁、並びにウエスト伸縮自在構造の構成は、図１乃至図４に示される参考例１に係る綿パン１と同様であるので、同一の部分には同一の符号を付して説明を省略する。図１１に示されるように、参考例５に係るＬポケット付きボトムズとしての綿パン１Ｅが参考例１に係る綿パン１と異なるのは、ベルト部３にベルト通し２０が設けられている点である。
【０１４９】
すなわち、図１１（ａ）に示されるように、参考例５に係る綿パン１Ｅにおいては、ベルト部３の左右の収容部３Ａと延出部３Ｂの境界に１対のベルト通し２０が縫付けられている。勿論、ベルト通し２０が１対のみでは不自然なので、綿パン１Ｅのベルト部３の両脇部及び背面部にも、同様のベルト通し２０が適当な間隔をとって縫付けられている。これによって、収容部３Ａの端がベルト通し２０によって完全に隠されるので、より見栄え・美観に優れたＬポケット付きボトムズとなる。
【０１５０】
次に、参考例５の変形例に係るＬポケット付きボトムズについて、図１２を参照して説明する。図１２（ａ）に示されるように、参考例５の変形例に係るＬポケット付きボトムズとしてのＧパン（ジーンズ）３０においては、参考例１に係る綿パン１と同様に延出部３Ｂの内側に接着布６がステッチ６ａによって縫付けられており、延出部３Ｂの先端近傍には、主弾性材としてのゴムテープ１０の一方の端が、伸び止め材１１の一方の端とともに縫付けられている。
【０１５１】
更に、伸び止め材１１がゴムテープ１０の伸びる許容範囲の長さだけ（例えば、２ｃｍ）弛みを付けて、ゴムテープ１０の他方の端とともに接着布芯３１に縫付けられ、この接着布芯３１は接着剤で収容部３Ａの内部に接着される。そして、伸び止め材１１の他方の端は、２本のステッチ１１ａによって接着布芯３１とともにベルト布を貫通して縫付けられる。したがって、２本のステッチ１１ａはＧパン３０の表側から見えることになる。
【０１５２】
しかしながら、図１２（ｂ）に示されるように、Ｇパン３０にはベルト通し３２，３３を始めとして、全部で５ヵ所にベルト通しが取り付けられる。このうち、ベルト通し３３が２本のステッチ１１ａの丁度真上に位置するように取り付けられ、したがって２本のステッチ１１７ａはベルト通し３３に隠れて表から見えなくなるので、Ｇパン３０の美観が損なわれることはない。
【０１５３】
すなわち、Ｌポケット付きボトムズにおいて、従来はベルト通しが全周で７ヵ所に付けられていたのが、近年はベルト通しを全周で５ヵ所に取り付けるのが主流になってきたため、ベルト通し３２とベルト通し３３との間隔が長くなる傾向にある。このような場合でも、２本のステッチ１１ａをベルト通し３２から離れたベルト通し３３で隠せるようにするために、図１２（ａ）に示されるように、伸び止め材１１の端を延長したものである。
【０１５４】
そして、接着布芯３１を設けたのは、特にＧパン３０の場合にはバイオ洗い（バイオ加工）によって、酵素で布地の表面を瞬間的に壊してケバを取ったり、軽石を入れて洗うことによって佩き古されたヴィンテージジーンズの感じを出したりすることが多いため、係るバイオ洗いの衝撃に耐えられるように収容部３Ａを補強することが目的である。このようなバイオ洗い（バイオ加工）は、Ｇパン（ジーンズ）のみでなく、綿パンやチノパン等の他のカジュアルなＬポケット付きボトムズに対しても実施される。
【０１５５】
更に、図１２（ｃ）に示されるように、ベルト通し３２は、一部が収容部３Ａの上のベルト布ステッチ３ａによって縫付けられる。すなわち、まずベルト通し３２の上端が収容部３Ａの上端よりの部分に地縫いで縫付けられ、ベルト通し３２を起き上がらせた状態で上側のベルト布ステッチ３ａが掛けられることによって、ベルト通し３２の上端が縫付けられる。そして、ベルト布ステッチ３ａの部分でベルト通し３２を下側へ折り返して、Ｌポケット２の当て布９にベルト通し３２の下端が縫い付けられる。
【０１５６】
このようにして、参考例５の変形例に係るＬポケット付きボトムズとしてのＧパン（ジーンズ）３０においては、接着布芯３１によって収容部３Ａが補強されてバイオ洗いの衝撃にも耐えられるとともに、図１２（ｂ）に示されるように伸び止め材１１の端を止めるステッチ１１ａがベルト通し３３で隠され、図１２（ｃ）に示されるように収容部３Ａの出口がベルト通し３２で隠されるため、見栄えの良いＬポケット付きボトムズとなる。
【０１５７】
参考例６
次に、本発明の参考例６に係るＬポケット付きボトムズについて、図１３及び図１４を参照して説明する。
【０１５８】
図１３（ａ）は本発明の参考例６に係るＬポケット付きボトムズのＬポケット近傍のベルト部分の内部構造を展開して示す部分展開拡大図、（ｂ）は本発明の参考例６の第１変形例に係るＬポケット付きボトムズのＬポケット近傍のベルト部分の生地の裁断形状を示す部分拡大図、（ｃ）は本発明の参考例６の第１変形例に係るＬポケット付きボトムズのＬポケット近傍のベルト部分の内部構造を展開して示す部分展開拡大図である。
【０１５９】
図１４（ａ）は本発明の参考例６の第２変形例に係るＬポケット付きボトムズのＬポケット近傍のベルト部分の内部構造を展開して示す部分展開拡大図、（ｂ）は本発明の参考例６の第３変形例に係るＬポケット付きボトムズのＬポケット近傍のベルト部分の生地の裁断形状を示す部分拡大図、（ｃ）は本発明の参考例６の第３変形例に係るＬポケット付きボトムズのＬポケット近傍のベルト部分の内部構造を展開して示す部分展開拡大図である。
【０１６０】
図１３，図１４に示されるように、参考例６に係るＬポケット付きボトムズ３５，３５Ａ，４０，４０Ａにおいては、伸び止め材を延出部３７，４１のベルト布と共地にして、一体化していることを特徴としている。すなわち、図１３（ａ）に示されるように、参考例６に係るＬポケット付きボトムズ３５においては、主弾性材としてのゴムテープ１０の伸びを規制する伸び止め材を別に設ける代わりに、延出部３７の左端を延長することによって、伸び止め材と同じ役割を果たすストッパー部分３７ａとしている。
【０１６１】
ストッパー部分３７ａの左端は、ゴムテープ１０の左端とともに、２本のステッチ３７ｃによって、収容部３６に縫付けられている。したがって、２本のステッチ３７ｃは収容部３６の表側から見えるが、Ｌポケット付きボトムズ３５には７本のベルト通しが取付けられており、Ｌポケットの近傍にあるベルト通しから近い距離に設けられた隣のベルト通しによって、２本のステッチ３７ｃを覆い隠すようになっている。したがって、Ｌポケット付きボトムズ３５の見栄えが損なわれることはない。
【０１６２】
一方、図１３（ｂ）に示されるように、参考例６の第１変形例に係るＬポケット付きボトムズ３５Ａにおいては、同様に延出部３８の左端を延長することによって、伸び止め材と同じ役割を果たすストッパー部分３９としているが、ストッパー部分３７ａのように裁ち切りではなく、上下に折り返し部分３９ａを設けている。この折り返し部分３９ａを矢印に示されるように折り返して、図１３（ｃ）に示されるように上下にステッチ３９ｂを掛けて止めている。
【０１６３】
これによって、上記参考例６に係るＬポケット付きボトムズ３５における作用効果に加えて、ストッパー部分３９の上下の縁が裁ち切りではなく、折り返されてステッチ３９ｂで止められているため、多数回洗濯を繰り返した場合でも裁ち切りの場合のように縁からほつれて弱くなってくるような恐れがなく、極めて丈夫なストッパー部分３９となるという作用効果が得られる。
【０１６４】
次に、図１４（ａ）に示されるように、参考例６の第２変形例に係るＬポケット付きボトムズ４０においては、５本のベルト通しが取付けられている。したがって、Ｌポケットの近傍にあるベルト通しの隣のベルト通しは離れた位置にあるため、伸び止め材と同じ役割を果たすストッパー部分４１ａを、主弾性材としてのゴムテープ１０の左端よりも更に延長して、隣のベルト通しで２本のステッチ４１ｄを覆い隠せるようにしている。なお、ゴムテープ１０の左端とストッパー部分４１ａの中間部分を縫い止める２本のステッチ４１ｃは、収容部３６には縫付けられていないため、表側から見えることはない。
【０１６５】
一方、図１４（ｂ）に示されるように、参考例６の第３変形例に係るＬポケット付きボトムズ４０Ａにおいては、上記参考例６の第２変形例に係るＬポケット付きボトムズ４０と同様に、延出部４２の左端を更に延長することによって、伸び止め材と同じ役割を果たすストッパー部分４３としているが、ストッパー部分４１ａのように裁ち切りではなく、上下に折り返し部分４３ａを設けている。この折り返し部分４３ａを矢印に示されるように折り返して、図１４（ｃ）に示されるように上下にステッチ４３ｂを掛けて止めている。
【０１６６】
これによって、上記参考例６の第２変形例に係るＬポケット付きボトムズ４０における作用効果に加えて、ストッパー部分４３の上下の縁が裁ち切りではなく、折り返されてステッチ４３ｂで止められているため、多数回洗濯を繰り返した場合でも裁ち切りの場合のように縁からほつれて弱くなってくるような恐れがなく、極めて丈夫なストッパー部分４３となるという作用効果が得られる。
【０１６７】
このように、参考例６に係るＬポケット付きボトムズ３５，３５Ａ，４０，４０Ａにおいては、伸び止め材の役割をするストッパー部分３７ａ，３９，４１ａ，４３を、延出部３７，３８，４１，４２のベルト布と共地にして一体化しているため、縫製工程が簡略化されてより容易に縫製できることから、低コスト化を図ることができる。
【０１６８】
参考例７
次に、本発明の参考例７に係るＬポケット付きボトムズについて、図１５乃至図１９を参照して説明する。
【０１６９】
図１５（ａ）は本発明の参考例７に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。図１６（ａ）は本発明の参考例７に係るＬポケット付きボトムズとしての綿パンの左Ｌポケットの要部裏面の縫製途中の構成を示す部品展開図、（ｂ）は本発明の参考例７に係るＬポケット付きボトムズの作用効果を示す説明図である。図１７（ａ），（ｂ）は本発明の参考例７に係る綿パンにベルト布ステッチを掛ける手順を示す部分拡大図である。
【０１７０】
図１８（ａ），（ｂ），（ｃ），（ｄ），（ｅ），（ｆ）は本発明の参考例７に係るＬポケット付きボトムズの左Ｌポケットの外縁の伸縮構造の作製手順を表側から見て示す説明図である。図１９（ａ）は本発明の参考例７の第１変形例に係るＬポケット付きボトムズの要部裏面の縫製途中の構成を示す部品展開図、（ｂ）は本発明の参考例７の第２変形例に係るＬポケット付きボトムズの要部裏面の縫製途中の構成を示す部品展開図、（ｃ）は本発明の参考例７の第３変形例に係るＬポケット付きボトムズの要部裏面の縫製途中の構成を示す部品展開図、（ｄ）は本発明の参考例７の第４変形例に係るＬポケット付きボトムズの要部裏面の縫製途中の構成を示す部品展開図である。
【０１７１】
図１５（ａ）に示されるように、参考例７に係るＬポケット付きボトムズとしての綿パン５１は、前身頃５４のベルト部５３の近傍に左右１対のＬポケット５２を有しており、これらのＬポケット５２のポケット口外縁５２Ａの前中心ＦＣよりの部分（外縁５２Ａの上部）の近傍に、ベルト部５３の見掛け上の長さを伸縮自在としたウエスト周り伸縮自在構造を有している。
【０１７２】
すなわち、ベルト部５３には左右１対のＬポケット５２のポケット口外縁５２Ａの近傍に、収容部５３Ａとその収容部５３Ａ内に挿入される延出部５３Ｂからなる重ね合せ部が形成されており、延出部５３Ｂの先端と収容部５３Ａとが収容部５３Ａ内において主弾性材としてのゴムテープで接続されることによって、ベルト部５３の見掛け上の長さを伸縮自在としている。また、Ｌポケット５２の袋布が表側から見えないようにするために、前身頃５４と共地の綿生地からなる当て布５９が左右１対のＬポケット５２の外側に縫付けられている。
【０１７３】
ここで、図１５（ｂ），（ｃ）に示されるように、収容部５３Ａ及び延出部５３Ｂの上下端にはベルト布ステッチ５３ａ，５３ｂが施されている。ジーンズ（Ｇパン）、綿パンを始めとするカジュアルなＬポケット付きボトムズにおいては、このようなベルト布ステッチ５３ａ，５３ｂを施すのが一般的である。ただし、Ｌポケット付きボトムズにおいても、カジュアルではないドレス調の婦人用のボトムズ等においては、ベルト布ステッチを施さない場合もある。
【０１７４】
このようなベルト布ステッチ５３ａ，５３ｂを施すことによって、図１５（ｂ），（ｃ）に示されるように、収容部５３Ａ内に収容可能な幅がベルト布ステッチ５３ａの分だけ狭められるため、延出部５３Ｂの幅は、収容部５３Ａの幅よりも２ｍｍ程度小さくする必要がある。これによって、最初に図３４（ａ），（ｂ）について説明したように、延出部１０３Ｂが収容部１０３Ａから引き出される際に延出部１０３Ｂが下がることによって生ずる延出部１０３Ｂと収容部１０３Ａとの段差が、一層目立つ結果となる。
【０１７５】
そこで、参考例７に係るＬポケット付きボトムズとしての綿パン５１においては、図１５（ｃ）に矢印で示されるように、延出部５３Ｂが収容部５３Ａから引き出される際に延出部５３Ｂが上がるようにすることによって、前述した段差が目立たなくなり、ウエスト周り伸縮自在構造を有するＬポケット付きボトムズの見栄えを格段に向上させることができる。
【０１７６】
すなわち、ベルト部５３に引っ張り力が掛かっていない場合には、図１５（ｂ）に示されるようにＬポケット５２の外縁５２Ａの上部が収容部５３Ａの端と一致しており、ベルト部５３に引っ張り力が掛かってウエスト周りが伸びると、図１５（ｃ）に示されるようにＬポケット５２の外縁５２Ａの上部も延出部５３Ｂと一体に移動するが、このとき延出部５３Ｂが矢印で示されるように上方に移動することによって、前述した段差が目立たなくなる。
【０１７７】
次に、このように延出部５３Ｂが収容部５３Ａから引き出される際に延出部５３Ｂが上がるようにする内部構造について、図１６を参照して説明する。図１６（ａ）に示されるように、参考例７に係る綿パン５１においては、収容部５３Ａの内部に接着布芯５０が接着されており、この接着布芯５０に主弾性材としてのゴムテープ６０及び伸び止め材６１の一端が縫付けられている。
【０１７８】
そして、ゴムテープ６０及び伸び止め材６１の他端は、延出部５３Ｂの先端部分に、図１６（ａ）に示されるように斜めのステッチ６０ａによって、上端が収容部５３Ａ側に傾くように斜めに縫付けられている。これによって、ゴムテープ６０の伸縮自在な部分の長さは、上端においては、接着布芯５０にゴムテープ６０の一端及び伸び止め材６１の中間を縫付けるステッチ６０ｂの上端と斜めのステッチ６０ａの上端との間の長さαとなり、下端においては、ステッチ６０ｂの下端と斜めのステッチ６０ａの下端との間の長さβとなる。
【０１７９】
ここで、長さβの方が長さαよりも長いため、図１６（ｂ）に示されるように、延出部５３Ｂが収容部５３Ａから引き出される方向に移動する際に、ゴムテープ６０の上端よりもゴムテープ６０の下端の方が長く伸びる結果、延出部５３Ｂが矢印で示されるように上方に上がるように移動することになる。このようにして、延出部５３Ｂが収容部５３Ａから引き出される際に延出部５３Ｂが上がるものである。
【０１８０】
なお、伸び止め材６１がゴムテープ６０の伸びる許容範囲の長さだけ（例えば、２ｃｍ）弛みを付けて、ゴムテープ６０の他方の端とともに接着布芯５０に縫付けられ、この接着布芯５０は、ソフト芯ＳＣ及びハード芯ＨＣの上から、接着剤で収容部５３Ａの内部に接着される。そして、伸び止め材６１の他方の端は、２本のステッチ６０ｃによって接着布芯５０とともにベルト布を貫通して縫付けられる。したがって、２本のステッチ６０ｃは綿パン５１の表側から見えることになる。
【０１８１】
しかしながら、綿パン５１には、全部で５ヵ所にベルト通しが取り付けられる。このうち、１つのベルト通しが２本のステッチ６０ｃの丁度真上に位置するように取り付けられ、したがって２本のステッチ６０ｃはベルト通しに隠れて表から見えなくなるので、綿パン５１の美観が損なわれることはない。すなわち、前述の如く、Ｌポケット付きボトムズにおいて、従来はベルト通しが全周で７ヵ所に付けられていたのが、近年はベルト通しを全周で５ヵ所に取り付けるのが主流になってきたため、隣り合うベルト通し同士の間隔が長くなる傾向にある。このような場合でも、２本のステッチ６０ｃをベルト通しから離れたベルト通しで隠せるようにするために、図１６（ａ）に示されるように、伸び止め材６１の端を延長したものである。
【０１８２】
そして、接着布芯５０を設けたのは、特にＧパンの場合にはバイオ洗い（バイオ加工）によって、酵素で布地の表面を瞬間的に壊してケバを取ったり、軽石を入れて洗うことによって佩き古されたヴィンテージジーンズの感じを出したりすることが多いため、係るバイオ洗いの衝撃に耐えられるように収容部５３Ａを補強することが目的である。このようなバイオ洗い（バイオ加工）は、Ｇパン（ジーンズ）のみでなく、綿パン５１に対しても実施される。
【０１８３】
したがって、バイオ洗いや酵素洗いをしない綿パン等のＬポケット付きボトムズにおいては、接着布芯５０を設ける必要がなく、この場合には伸び止め材６１の他方の端は２本のステッチ６０ｃによって、ハード芯ＨＣを含むベルト布を貫通して縫付けられる。このような場合でも、２本のステッチ６０ｃをベルト通しから離れたベルト通しで隠せるようにするために、図１６（ａ）に示されるように、伸び止め材６１の端を延長することになる。
【０１８４】
ここで、ベルト布ステッチ５３ａ，５３ｂを縫付ける手順について、図１７を参照して説明する。図１７（ａ）に示されるように、まず収容部５３Ａが拡げられた状態で、矢印アで示されるように延出部５３Ｂの下端にベルト布ステッチ５３ｂが掛けられ、続いて矢印イで示されるように延出部５３Ｂの下端を一部重ねて、延出部５３Ｂの前中心ＦＣ側を回って延出部５３Ｂの上端にベルト布ステッチ５３ｂが掛けられる。そして、収容部５３Ａが折り込まれて、収容部５３Ａの上端及び下端に沿って、矢印ウと矢印エで示されるように、延出部５３Ｂから離れる方向に向かってベルト布ステッチ５３ａが掛けられる。
【０１８５】
更に、参考例７に係るＬポケット付きボトムズとしての綿パン５１においては、ウエスト周り伸縮自在構造によってウエスト周りが伸びて延出部５３Ｂが収容部５３Ａから抜き出される方向に移動する際に、Ｌポケット５２の周囲にシワ等を生ずることなくＬポケット５２の外縁５２Ａが滑らかに変形する。これは、Ｌポケット５２の外縁５２Ａが伸縮性を有しているからである。このＬポケット５２の外縁５２Ａに伸縮性を持たせる縫製方法について、図１８を参照して説明する。図１８（ａ），…，（ｆ）は、全て左側のＬポケット５２を表側から見て縫製の手順を示したものである。
【０１８６】
まず、図１８（ａ）に示されるように、綿パン５１の前身頃５４の表側にＬポケット５２の外縁５２Ａの形状に合わせて裁断した袋布の生地５５を、地縫い５７によって縫付ける。次に、図１８（ｂ）に示されるように、外縁５２Ａの上部５２Ａａを略垂直に立てながら外縁５２Ａの中央部５２Ａｂを長さ方向に縮めた状態として、この状態で外縁中央部５２Ａｂの上からスチームアイロンを掛けて圧縮してプレスする。これによって、縮めた状態とした外縁中央部５２Ａｂのシワは綺麗に潰れて、図１８（ｃ）に示されるように滑らかな曲線となる。
【０１８７】
この上から、図１８（ｃ）に示されるように、伸縮性を有する生地としての帯状のパワーネット５８を、地縫い５７の縫い目に沿って縫付ける。そして、図１８（ｄ）に示されるように、帯状のパワーネット５８の縁に沿って外側の余った部分を切り取り、図１８（ｅ）に示されるように袋布５５を地縫い５７の部分で折り返して、袋布５５を向こう側、すなわち綿パン５１の裏側にひっくり返す。そして、図１８（ｆ）に示されるように新しいＬポケット５２の外縁５２Ａに沿ってダブルステッチ５２ａを掛けることによって、外縁中央部５２Ａｂが伸縮自在なＬポケット５２の構造が完成する。
【０１８８】
なお、参考例７においては、地縫い５７を縫い易くするために地縫い５７の外縁５２Ａからの縫代を１．０ｃｍと大きく取ったので、図１８（ｄ）に示されるように、帯状のパワーネット５８の縁に沿って外側の余った部分を切り落とす工程が必要になっているが、最初から地縫い５７の外縁５２Ａからの縫代を０．５ｃｍと小さくしておけば、外側の余った部分を切り落とす工程が不要になるので、この方法によっても良い。
【０１８９】
このように、参考例７に係るＬポケット付きボトムズとしての綿パン５１においては、ウエスト周り伸縮自在構造を構成する延出部５３Ｂと収容部５３Ａの重ね合せ部がＬポケット５２の前中心ＦＣよりの外縁５２Ａの近傍に位置するため、収容部５３Ａの端がＬポケット５２の前中心ＦＣよりの外縁５２Ａとスムーズにつながるような外見となり、収容部５３Ａの端を隠さなくとも美観を損なうことがない。
【０１９０】
また、外縁中央部５２Ａｂを長さ方向に縮めた状態で裏側からスチームアイロンによりプレスして、その上から伸縮性を有する生地としての帯状のパワーネット５８を縫付けてあるため、ウエスト周り伸縮自在構造によってウエスト周りが伸びて延出部５３Ｂが収容部５３Ａから抜き出される方向に移動する際に、Ｌポケット５２の外縁上部５２Ａａも前中心ＦＣ方向に引っ張られるが、外縁中央部５２Ａｂが上述したように伸縮自在の構造になっているため滑らかに伸びて追従し、Ｌポケット５２の周辺に従来のようなシワがよったりして見栄えを損ねることもない。
【０１９１】
そして、ウエスト周りを伸ばそうとする力が解除されると、延出部５３Ｂと収容部５３Ａとの間に両端が接続された主弾性材としてのゴムテープ６０によって再び延出部５３Ｂが収容部５３Ａ内に収容される方向に移動するが、この際にもＬポケット５２の外縁中央部５２Ａｂが伸縮自在の構造になっているため滑らかに縮んで追従し、綺麗にもとの状態に復帰する。このように、参考例７に係るＬポケット付きボトムズとしての綿パン５１においては、従来不可能とされてきたＬポケット付きボトムズにウエスト周り伸縮自在構造を付加することを、簡単な構造によって可能としたものである。
【０１９２】
このようにして、参考例７に係るＬポケット付きボトムズとしての綿パン５１においては、延出部５３Ｂが収容部５３Ａに対して摺動してウエスト周りが伸びる際に延出部５３Ｂが上がるようにすることによって、延出部５３Ｂと収容部５３Ａとの段差を感じさせず、見栄え・美観を良好に保ちつつＬポケットの前中心よりの側に延出部５３Ｂと収容部５３Ａの境界線を位置させてウエストサイズを伸縮自在とすることができる。
【０１９３】
次に、参考例７の第１変形例乃至第４変形例に係るＬポケット付きボトムズとしての綿パンについて、図１９を参照して説明する。
【０１９４】
図１９（ａ）に示されるように、参考例７の第１変形例に係るＬポケット付きボトムズとしての綿パン５１Ａは、接着布芯も伸び止め材も用いずに、主弾性材としてのゴムテープ６０のみによって延出部５３Ｂと収容部５３Ａとの間を接続している。そして、ゴムテープ６０の端と延出部５３Ｂの先端部分とを斜めのステッチ６０ａで縫付けることによって、ウエスト周りが伸びる際に延出部５３Ｂが上がるようにしている。
【０１９５】
また、図１９（ｂ）に示されるように、参考例７の第２変形例に係るＬポケット付きボトムズとしての綿パン５１Ｂにおいては、主弾性材としてのゴムテープ６０のみによって延出部５３Ｃと収容部５３Ａとの間を接続している点は同じであるが、延出部５３Ｃの先端部分を斜めのステッチ６０ａの傾斜角と同程度に斜めにカットしている。これによって、ゴムテープ６０の端と延出部５３Ｃの先端部分とを斜めのステッチ６０ａで縫付ける際に、延出部５３Ｃの先端部分に沿って縫付ければ良いため、縫製が容易になる。
【０１９６】
また、図１９（ｃ）に示されるように、参考例７の第３変形例に係るＬポケット付きボトムズとしての綿パン５１Ｃにおいては、主弾性材としてのゴムテープ６０に伸び止め材６１を併設して、延出部５３Ｂと収容部５３Ａとの間を接続している。そして、ゴムテープ６０及び伸び止め材６１の端と延出部５３Ｂの先端部分とを斜めのステッチ６０ａで縫付けることによって、ウエスト周りが伸びる際に延出部５３Ｂが上がるようにしている。
【０１９７】
更に、図１９（ｄ）に示されるように、参考例７の第４変形例に係るＬポケット付きボトムズとしての綿パン５１Ｄにおいては、主弾性材としてのゴムテープ６０に伸び止め材６１を併設して、延出部５３Ｂと収容部５３Ａとの間を接続している点は同じであるが、延出部５３Ｃの先端部分を斜めのステッチ６０ａの傾斜角と同程度に斜めにカットしている。これによって、ゴムテープ６０及び伸び止め材６１の端と延出部５３Ｃの先端部分とを斜めのステッチ６０ａで縫付ける際に、延出部５３Ｃの先端部分に沿って縫付ければ良いため、縫製が容易になる。
【０１９８】
参考例８
次に、本発明の参考例８に係るＬポケット付きボトムズについて、図２０を参照して説明する。図２０（ａ）は本発明の参考例８に係るＬポケット付きボトムズとしての綿パンの左Ｌポケットとその近傍のウエスト周りが縮んだ状態を示す部分拡大図、（ｂ）はウエスト周りが伸びた状態を示す部分拡大図、（ｃ），（ｄ）は左Ｌポケットの外縁の伸縮構造の作製手順を表側から見て示す説明図、（ｅ）は本発明の参考例８の変形例に係る綿パンの左Ｌポケットの外縁の伸縮構造を表側から見て示す説明図である。
【０１９９】
参考例８に係るＬポケット付きボトムズとしての綿パン６６は、参考例７に係るＬポケット付きボトムズとしての綿パン５１と同様に、前身頃のベルト部５３の近傍に左右１対のＬポケット６７を有しており、これらのＬポケット６７のポケット口外縁６７Ａの前中心ＦＣよりの部分（外縁６７Ａの上部）の近傍に、ベルト部５３の見掛け上の長さを伸縮自在としたウエスト周り伸縮自在構造を有している。
【０２００】
すなわち、参考例７と同様に、ベルト部５３には左右１対のＬポケット６７のポケット口外縁６７Ａの近傍に、収容部５３Ａとその収容部５３Ａ内に挿入される延出部５３Ｂからなる重ね合せ部が形成されており、延出部５３Ｂの先端と収容部５３Ａとが収容部５３Ａ内において主弾性材としてのゴムテープ６０で接続されることによって、ベルト部５３の見掛け上の長さを伸縮自在としている。
【０２０１】
そして、ゴムテープ６０及び伸び止め材６１の他端が延出部５３Ｂの先端部分に、斜めのステッチ６０ａによって上端が収容部５３Ａ側に傾くように斜めに縫付けられており、延出部５３Ｂが収容部５３Ａから引き出される方向に移動する際に、ゴムテープ６０の上端よりもゴムテープ６０の下端の方が長く伸びる結果、延出部５３Ｂが上方に上がるように移動する点等についても、参考例７に係る綿パン５１と同様である。
【０２０２】
これによって、ベルト部５３に引っ張り力が掛かっていない場合には、図２０（ａ）に示されるようにＬポケット６７の外縁６７Ａの上部が収容部５３Ａの端と一致しており、ベルト部５３に引っ張り力が掛かってウエスト周りが伸びると、図２０（ｂ）に示されるようにＬポケット６７の外縁６７Ａの上部も延出部５３Ｂと一体に移動して、Ｌポケット６７の周囲にシワ等を生ずることなくＬポケット６７の外縁６７Ａが滑らかに変形する。これは、Ｌポケット６７の外縁６７Ａが伸縮性を有しているからである。
【０２０３】
このＬポケット１７の外縁６７Ａに伸縮性を持たせる縫製方法について、図２０（ｃ），（ｄ）を参照して説明する。まず、図２０（ｃ）に示されるように、綿パン６６の前身頃５４の表側にＬポケット６７の外縁６７Ａの形状に合わせて裁断した袋布の生地５５を、地縫い６８によって縫付け、次に外縁６７Ａの中央部に切欠き６７Ｂを設ける。そして、図２０（ｄ）に示されるように、外縁６７Ａの上部を略垂直に立てながら外縁中央部の切欠き６７Ｂを縮めた状態として、この状態で外縁中央部の上から伸縮性を有する生地としての帯状のパワーネット６９を、地縫い６８の縫い目に沿って縫付ける。
【０２０４】
なお、参考例８においては、地縫い６８の縫代を最初から０．５ｃｍと小さく取ったため、参考例７のように外縁６７Ａの縁を切り落とす作業の必要がなくなるが、参考例７と同様に地縫い６８の縫代を１．０ｃｍ取っておいて、帯状のパワーネット６９を縫付けた後に外縁６７Ａの縁を切り落とす方法を採っても良い。
【０２０５】
後は、参考例７の図１８（ｅ）に示されるのと同様に、袋布５５を地縫い６８の部分で折り返して、袋布５５を向こう側、すなわち綿パン６６の裏側にひっくり返す。そして、図１８（ｆ）に示されるように新しいＬポケット６７の外縁６７Ａに沿ってダブルステッチ６２ａを掛けることによって、外縁中央部が伸縮自在なＬポケット６７の構造が完成する。
【０２０６】
このように、参考例８においては、外縁６７Ａの中央部に切欠き６７Ｂを設けることによって外縁６７Ａの中央部が伸縮自在なＬポケット６７としているため、参考例７のようにスチームアイロンでプレスする工程を省くことができ、より容易に短時間でＬポケット６７の外縁６７Ａに伸縮性を持たせることができる。なお、切欠き６７Ｂは１つに限られるものではなく、図２０（ｅ）に示されるように、３ヵ所に切欠き６７Ｂを設けてこれら３ヵ所の切欠き６７Ｂを縮めた状態として、この状態で外縁中央部の上から伸縮性を有する生地としての帯状のパワーネット６９を、地縫い６８の縫い目に沿って縫付けることもできる。
【０２０７】
これによって、ウエスト周り伸縮自在構造によってウエスト周りが伸びて延出部５３Ｂが収容部５３Ａから抜き出される方向に移動する際に、Ｌポケット６７の外縁上部６７Ａも前中心ＦＣ方向に引っ張られるが、外縁中央部６７Ａが上述したように伸縮自在の構造になっているため滑らかに伸びて追従し、Ｌポケット６７の周辺に従来のようなシワがよったりして見栄えを損ねることもない。
【０２０８】
そして、ウエスト周りを伸ばそうとする力が解除されると、延出部５３Ｂと収容部５３Ａとの間に両端が接続された主弾性材としてのゴムテープ６０によって再び延出部５３Ｂが収容部５３Ａ内に収容される方向に移動するが、この際にもＬポケット６７の外縁中央部６７Ａが伸縮自在の構造になっているため滑らかに縮んで追従し、綺麗にもとの状態に復帰する。このように、参考例８に係るＬポケット付きボトムズとしての綿パン６６においては、従来不可能とされてきたＬポケット付きボトムズにウエスト周り伸縮自在構造を付加することを、簡単な構造によって可能としたものである。
【０２０９】
このようにして、参考例８に係るＬポケット付きボトムズとしての綿パン６６においては、延出部５３Ｂが収容部５３Ａに対して摺動してウエスト周りが伸びる際に延出部５３Ｂが上がるようにすることによって、延出部５３Ｂと収容部５３Ａとの段差を感じさせず、見栄え・美観を良好に保ちつつ、Ｌポケット６７の前中心ＦＣよりの側に延出部５３Ｂと収容部５３Ａの境界線を位置させてウエストサイズを伸縮自在とすることができる。
【０２１０】
なお、参考例８においても、Ｌポケット６７の袋布５５の表側に綿パン６６の前身頃５４と共地の綿生地からなる当て布５９を縫付けているが、前身頃５４の素材や厚さによってはＬポケット６７の袋布５５自体を前身頃５４と共地の綿生地から構成しても良い。
【０２１１】
参考例９
次に、本発明の参考例９に係るＬポケット付きボトムズについて、図２１を参照して説明する。図２１（ａ）は本発明の参考例９に係るＬポケット付きボトムズとしての綿パンの左Ｌポケットとその近傍のウエスト周りが縮んだ状態を示す部分拡大図、（ｂ）はウエスト周りが伸びた状態を示す部分拡大図である。
【０２１２】
参考例９に係るＬポケット付きボトムズとしての綿パン７１は、前身頃のベルト部５３の近傍に左右１対のＬポケット７２を有しており、これらのＬポケット７２のポケット口外縁７２Ａの前中心ＦＣよりの部分（外縁７２Ａの上部）の近傍に、ベルト部５３の見掛け上の長さを伸縮自在としたウエスト周り伸縮自在構造を有している。
【０２１３】
すなわち、参考例７と同様に、ベルト部５３には左右１対のＬポケット７２のポケット口外縁７２Ａの近傍に、収容部５３Ａとその収容部５３Ａ内に挿入される延出部５３Ｂからなる重ね合せ部が形成されており、延出部５３Ｂの先端と収容部５３Ａとが収容部５３Ａ内において主弾性材としてのゴムテープ６０で接続されることによって、ベルト部５３の見掛け上の長さを伸縮自在としている。
【０２１４】
そして、ゴムテープ６０及び伸び止め材６１の他端が延出部５３Ｂの先端部分に、斜めのステッチ６０ａによって上端が収容部５３Ａ側に傾くように斜めに縫付けられており、延出部５３Ｂが収容部５３Ａから引き出される方向に移動する際に、ゴムテープ６０の上端よりもゴムテープ６０の下端の方が長く伸びる結果、延出部５３Ｂが上方に上がるように移動する点等についても、参考例７に係る綿パン５１と同様である。
【０２１５】
これによって、ベルト部５３に引っ張り力が掛かっていない場合には、図２１（ａ）に示されるようにＬポケット７２の外縁７２Ａの上部が収容部５３Ａの端と一致しており、ベルト部５３に引っ張り力が掛かってウエスト周りが伸びると、図２１（ｂ）に示されるようにＬポケット７２の外縁７２Ａの上部も延出部５３Ｂと一体に移動して、Ｌポケット７２の周囲にシワ等を生ずることなくＬポケット７２の外縁７２Ａが滑らかに変形する。
【０２１６】
この理由は、図２１（ａ）に示されるように、Ｌポケット７２の外縁７２Ａをベルト部５３に接する上部から下部にいくに従って前中心方向ＦＣに突出するように湾曲した形状としたためである。
【０２１７】
これによって、ウエスト周り伸縮自在構造によってウエスト周りが伸びて延出部５３Ｂが収容部５３Ａから抜き出される方向に移動する際に、Ｌポケット７２の外縁７２Ａの上部も前中心ＦＣの方向に引っ張られるが、外縁７２Ａの中央部が外縁７２Ａの上部よりも前中心ＦＣの方向に突出しているため外縁７２Ａの上部が滑らかに追従することができ、Ｌポケット７２の周辺に従来のようなシワがよったりして見栄えを損ねることがない。
【０２１８】
更に、外縁７２Ａの中央部を長さ方向に縮めた状態で裏側からアイロン等によりプレスしたり、外縁７２Ａの中央部に１以上の切欠きを入れて切欠きを縮めた状態で上から伸縮性を有する生地を帯状に縫付けたりする必要がなく、生地の形状を変えるだけで良いため製造工程がより一層簡単になりより短時間で製造することができる。
【０２１９】
そして、ウエスト周りを伸ばそうとする力が解除されると、延出部５３Ｂと収容部５３Ａとの間に両端が接続された主弾性材としてのゴムテープ６０によって再び延出部５３Ｂが収容部５３Ａ内に収容される方向に移動するが、この際にもＬポケット７２の外縁７２Ａの上部が滑らかに追従することができ、綺麗にもとのＬポケット７２の形状に復帰する。このように、参考例９に係るＬポケット付きボトムズとしての綿パン７１においては、従来不可能とされてきたＬポケット付きボトムズにウエスト周り伸縮自在構造を付加することを、極めて簡単な構造によって可能としたものである。
【０２２０】
このようにして、参考例９に係るＬポケット付きボトムズとしての綿パン７１においては、延出部５３Ｂが収容部５３Ａに対して摺動してウエスト周りが伸びる際に延出部５３Ｂが上がるようにすることによって、延出部５３Ｂと収容部５３Ａとの段差を感じさせず、見栄え・美観を良好に保ちつつ、Ｌポケット７２の前中心ＦＣよりの側に延出部５３Ｂと収容部５３Ａの境界線を位置させてウエストサイズを伸縮自在とすることができる。
【０２２１】
なお、参考例９においても、Ｌポケット７２の袋布５５の表側に綿パン７１の前身頃５４と共地の綿生地からなる当て布５９を縫付けているが、前身頃５４の素材や厚さによってはＬポケット７２の袋布５５自体を前身頃５４と共地の綿生地から構成しても良い。
【０２２２】
参考例１０
次に、本発明の参考例１０に係るＬポケット付きボトムズについて、図２２及び図２３を参照して説明する。
【０２２３】
図２２（ａ）は本発明の参考例１０に係るＬポケット付きボトムズとしての綿パンの左Ｌポケットとその近傍のウエスト周りが縮んだ状態を裏側から見て示す部分拡大図、（ｂ）はウエスト周りが伸びた状態を裏側から見て示す部分拡大図である。図２３（ａ）は本発明の参考例１０の変形例に係るＬポケット付きボトムズとしての綿パンの右Ｌポケットとその近傍のウエスト周りが縮んだ状態を裏側から見て示す部分拡大図、（ｂ）はウエスト周りが伸びた状態を裏側から見て示す部分拡大図である。
【０２２４】
参考例１０に係るＬポケット付きボトムズとしての綿パンは、参考例７に係るＬポケット付きボトムズとしての綿パン５１と同様に、前身頃のベルト部の近傍に左右１対のＬポケットを有しており、これらのＬポケットのポケット口外縁の前中心よりの部分の近傍に、ベルト部５３の見掛け上の長さを伸縮自在としたウエスト周り伸縮自在構造を有している。
【０２２５】
すなわち、参考例７と同様に、ベルト部５３には左右１対のＬポケットのポケット口外縁の近傍に、収容部５３Ａとその収容部５３Ａ内に挿入される延出部５３Ｂからなる重ね合せ部が形成されており、延出部５３Ｂの先端と収容部５３Ａとが収容部５３Ａ内において主弾性材としてのゴムテープ６０で接続されることによって、ベルト部５３の見掛け上の長さを伸縮自在としている。
【０２２６】
そして、ゴムテープ６０及び伸び止め材６１の他端が延出部５３Ｂの先端部分に、斜めのステッチ６０ａによって上端が収容部５３Ａ側に傾くように斜めに縫付けられており、延出部５３Ｂが収容部５３Ａから引き出される方向に移動する際に、ゴムテープ６０の上端よりもゴムテープ６０の下端の方が長く伸びる結果、延出部５３Ｂが上方に上がるように移動する点等についても、参考例７に係る綿パン５１と同様である。
【０２２７】
図２２（ａ）に示されるように、参考例１０に係るＬポケット付きボトムズとしての綿パン７５においては、Ｌポケットの袋布７６の前中心ＦＣの側の端の折り返し部分の上部にタック７７を設けており、このタック７７の近傍にウエスト周り伸縮自在構造を構成する収容部５３Ａと延出部５３Ｂの境界線を位置させている。したがって、タック７７を形成する場合の位置決めが極めて容易であり、またＬポケットの外縁５２Ａの上部は、表側における収容部５３Ａの端と一致しているため、ベルト通しで隠さなくても美観を損ねることはない。
【０２２８】
そして、ウエスト伸縮機構によって延出部５３Ｂが移動する場合には、図２２（ｂ）に示されるように、それに伴ってＬポケットの袋布７６が移動するのに従ってタック７７が開くため、Ｌポケットの袋布７６が捩れたり引きつったりすることがなく、かかる捩れや引きつりが表側に響いて見栄えを損ねることが確実に防止される。ここで、タック７７の襞の幅はウエスト周り伸縮自在構造により伸縮する分より大きいことが好ましい。これによって、Ｌポケット付きボトムズ７５のウエスト周りがウエスト周り伸縮自在構造の一杯まで伸びた場合においても、タック７７が余裕を持って開くことができるために引っ張り力を確実に逃がすことができる。
【０２２９】
かかるタック７７を設けたＬポケットの袋布７６の構造は、単独でも十分にＬポケット付きボトムズとしての綿パン７５のウエスト周りが伸縮する際に、引っ張り力を逃がすことができて、表から見たＬポケット５２の周囲にシワ等を生ずることを効果的に防止することができる。また、上記参考例７乃至参考例９に係るＬポケット付きボトムズとしての綿パン５１，６６，７１におけるＬポケットの外縁の構造と併用した場合には、Ｌポケット付きボトムズ５１，６６，７１のウエスト周りが伸縮する際に表から見たＬポケットの周囲にシワ等を生ずることを、より一層効果的に防止することができる。
【０２３０】
また、図２３（ａ）に示されるように、参考例１０の変形例に係るＬポケット付きボトムズとしての綿パン７５Ａにおいては、Ｌポケットの袋布７８の前中心ＦＣの側の端の折り返し部分の上部を余らせることによって襞のないタック７９を設けており、このタック７９の近傍にウエスト周り伸縮自在構造を構成する収容部５３Ａと延出部５３Ｂの境界線を位置させている。したがって、タック７９を形成する場合の位置決めが極めて容易であり、またＬポケットの外縁５２Ａの上部は、表側における収容部５３Ａの端と一致しているため、ベルト通しで隠さなくても美観を損ねることはない。
【０２３１】
そして、ウエスト伸縮機構によって延出部５３Ｂが移動する場合には、図２３（ｂ）に示されるように、それに伴ってＬポケットの袋布７８が移動するのに従ってタック７９が開くため、Ｌポケットの袋布７８が捩れたり引きつったりすることがなく、かかる捩れや引きつりが表側に響いて見栄えを損ねることが確実に防止される。ここで、タック７９の開く幅はウエスト周り伸縮自在構造により伸縮する分より大きいことが好ましい。これによって、Ｌポケット付きボトムズ７５Ａのウエスト周りがウエスト周り伸縮自在構造の一杯まで伸びた場合においても、タック７９が余裕を持って開くことができるために引っ張り力を確実に逃がすことができる。
【０２３２】
かかるタック７９を設けたＬポケットの袋布７８の構造は、単独でも十分にＬポケット付きボトムズとしての綿パン７５Ａのウエスト周りが伸縮する際に、引っ張り力を逃がすことができて、表から見たＬポケット５２の周囲にシワ等を生ずることを効果的に防止することができる。また、上記参考例７乃至参考例９に係るＬポケット付きボトムズとしての綿パン５１，６６，７１におけるＬポケットの外縁の構造と併用した場合には、Ｌポケット付きボトムズ５１，６６，７１のウエスト周りが伸縮する際に表から見たＬポケットの周囲にシワ等を生ずることを、より一層効果的に防止することができる。
【０２３３】
このようにして、参考例１０に係るＬポケット付きボトムズとしての綿パン７５，７５Ａにおいては、延出部５３Ｂが収容部５３Ａに対して摺動してウエスト周りが伸びる際に延出部５３Ｂが上がるようにすることによって、延出部５３Ｂと収容部５３Ａとの段差を感じさせず、見栄え・美観を損なうことなく、Ｌポケットの前中心よりの側に延出部５３Ｂと収容部５３Ａの境界線を位置させてウエストサイズを伸縮自在とすることができる。
【０２３４】
参考例１１
次に、本発明の参考例１１に係るＬポケット付きボトムズについて、図２４を参照して説明する。図２４（ａ）は本発明の参考例１１に係るＬポケット付きボトムズとしての綿パンの全体構造を示す正面図、（ｂ）はその綿パンの左Ｌポケットとその近傍のウエスト周りが縮んだ状態を示す部分拡大図、（ｃ）はウエスト周りが伸びた状態を示す部分拡大図である。
【０２３５】
なお、参考例１１に係るＬポケット付きボトムズとしての綿パン５１ＥのＬポケット及びその外縁、並びにウエスト伸縮自在構造の構成は、図１５乃至図１８に示される参考例７に係る綿パン５１と同様であるので、同一の部分には同一の符号を付して説明を省略する。図２４に示されるように、参考例１１に係るＬポケット付きボトムズとしての綿パン５１Ｅが参考例７に係る綿パン５１と異なるのは、ベルト部５３にベルト通し７０が設けられている点である。
【０２３６】
すなわち、図２４（ａ）に示されるように、参考例１１に係る綿パン５１Ｅにおいては、ベルト部５３の左右の収容部５３Ａと延出部５３Ｂの境界に１対のベルト通し７０が縫付けられている。勿論、ベルト通し７０が１対のみでは不自然なので、綿パン５１Ｅのベルト部５３の両脇部及び背面部にも、同様のベルト通し７０が適当な間隔をとって縫付けられている。これによって、収容部５３Ａの端がベルト通し７０によって完全に隠されるので、より見栄え・美観に優れたＬポケット付きボトムズとなる。
【０２３７】
このようにして、参考例１１に係るＬポケット付きボトムズとしての綿パン５１Ｅにおいては、ウエスト周りが伸びる際に延出部５３Ｂが上がるようにすることによって延出部５３Ｂと収容部５３Ａとの段差を感じさせないだけでなく、収容部５３Ａの端がベルト通し７０によって完全に隠されるので、より見栄え・美観を損なうことなく、Ｌポケットの前中心よりの側に延出部５３Ｂと収容部５３Ａの境界線を位置させてウエストサイズを伸縮自在とすることができる。
【０２３８】
実施の形態１
次に、本発明の実施の形態１に係るＬポケット付きボトムズについて、図２５乃至図３１を参照して説明する。
【０２３９】
図２５（ａ）は本発明の実施の形態１に係るＬポケット付きボトムズとしての綿パンの左Ｌポケットの要部裏面の縫製途中の構成を示す部品展開図、（ｂ）は本発明の実施の形態１に係るＬポケット付きボトムズの作用効果を示す説明図である。図２６（ａ），（ｂ），（ｃ），（ｄ）は本発明の実施の形態１に係るＬポケット付きボトムズとしての綿パンのＬポケットの袋布の縫製工程を示す説明図である。
【０２４０】
図２７（ａ），（ｂ），（ｃ），（ｄ），（ｅ），（ｆ）は本発明の実施の形態１に係るＬポケット付きボトムズの左Ｌポケットの外縁の伸縮構造の作製手順を表側から見て示す説明図である。図２８（ａ），（ｂ），（ｃ），（ｄ）は本発明の実施の形態１の第１変形例に係るＬポケット付きボトムズとしての綿パンのＬポケットの袋布の縫製工程を示す説明図である。図２９（ａ），（ｂ），（ｃ），（ｄ）は本発明の実施の形態１の第２変形例に係るＬポケット付きボトムズとしての綿パンのＬポケットの袋布の縫製工程を示す説明図である。
【０２４１】
図３０（ａ），（ｂ），（ｃ），（ｄ），（ｅ）は本発明の実施の形態１の第３変形例に係るＬポケット付きボトムズとしての綿パンのＬポケットの袋布の縫製工程を示す説明図である。図３１（ａ），（ｂ），（ｃ），（ｄ）は本発明の実施の形態１の第４変形例に係るＬポケット付きボトムズとしての綿パンのＬポケットの袋布の縫製工程を示す説明図である。
【０２４２】
図２５（ａ）に示されるように、実施の形態１に係るＬポケット付きボトムズとしての綿パン８１は、前身頃８４のベルト部８３の近傍に左右１対のＬポケット８２を有しており、これらのＬポケット８２のポケット口外縁８２Ａの前中心ＦＣよりの部分（外縁８２Ａの上部）の近傍に、ベルト部８３の見掛け上の長さを伸縮自在としたウエスト周り伸縮自在構造を有している。
【０２４３】
すなわち、ベルト部８３には左右１対のＬポケット８２のポケット口外縁８２Ａの近傍に、収容部８３Ａとその収容部８３Ａ内に挿入される延出部８３Ｂからなる重ね合せ部が形成されており、延出部８３Ｂの先端と収容部８３Ａとが収容部８３Ａ内において主弾性材としてのゴムテープ９０及び伸び止め材９１で接続されることによって、ベルト部８３の見掛け上の長さを伸縮自在としている。また、Ｌポケット８２の袋布８５を保持するために、補助弾性材としての細いゴムテープ９２が縫付けられている。
【０２４４】
ここで、図２５（ａ）に示されるように、実施の形態１に係る綿パン８１においては、Ｌポケット８２の袋布８５の端部８５ａの上端を分割して、パイピング部分８６が設けられている。このようにパイピング部分８６を設けることによって、図２５（ｂ）に示されるように、袋布８５の上端のパイピング部分８６の内側のみが延出部８３Ｂの摺動に伴って引っ張られ、袋布８５の上端のパイピング部分８６の外側が縫付けられている前身頃８４の図の左端は引っ張られず、この部分が引き攣ることがなく、表側から見た場合でも良好な見栄えを保つことができる。
【０２４５】
そして、実施の形態１に係る綿パン８１においては、最初に図４２において説明したように、従来の袋布１０５Ａのパイピング１０６における折り返し部分１０６ａが解れ易いという問題点を解決するために、袋布８５の縫製方法を改良している。
【０２４６】
実施の形態１に係る綿パン８１における袋布８５の縫製方法について、図２６を参照して説明する。まず、図２６（ａ）に示されるように、袋布８５の生地８０の折り返し部分８０ａに、上部から分割部分としての切り込み８７を入れる。次に、図２６（ｂ）に示されるように、この袋布８５の生地８０の切り込み８７を拡げて、パイピング専用のミシンを用いてパイピング８０ｂを形成する材料となるバイアス布を供給しながら、パイピング８０ｂを施す。
【０２４７】
続いて、図２６（ｃ）に示されるように、パイピング８０ｂの下端の折り返し部分８０ｃに摘み縫い８８を施し、図２６（ｄ）に示されるように、摘み縫い８８を施した部分が内側になるように袋布８５の生地８０全体を裏返して、袋布８５の生地８０の下端及び反対側の端を縫い合わせる。このようにして、綿パン８１の袋布８５が縫製される。これによって、最終的に形成されたパイピング部分８６は、折り返し部分８０ｃに摘み縫い８８を施して裏返して袋布８５が縫い上げられていることによって、パイピング８０ｂの下端の折り返し部分８０ｃが強化されて、長期間の着用や洗濯の繰り返しによって力が掛かっても解れることがない。
【０２４８】
そして、袋布８５の前中心ＦＣよりの端の上部を切り込み８７によって分割して、分割部分８７にパイピング８０ｂを施しているため、袋布８５の上端のパイピング部分８６の内側のみが延出部８３Ｂの摺動に伴って引っ張られ、袋布８５の上端のパイピング部分８６の外側が縫付けられている前身頃８４の左端は引っ張られず、この部分が引き攣ることがなく、表側から見た場合でも良好な見栄えを保つことができる。
【０２４９】
更に、実施の形態１に係るＬポケット付きボトムズとしての綿パン８１においては、ウエスト周り伸縮自在構造によってウエスト周りが伸びて延出部８３Ｂが収容部８３Ａから抜き出される方向に移動する際に、Ｌポケット８２の周囲にシワ等を生ずることなくＬポケット８２の外縁８２Ａが滑らかに変形する。これは、Ｌポケット８２の外縁８２Ａが伸縮性を有しているからである。このＬポケット８２の外縁８２Ａに伸縮性を持たせる縫製方法について、図２７を参照して説明する。図２７（ａ），…，（ｆ）は、全て左側のＬポケット８２を表側から見て縫製の手順を示したものである。
【０２５０】
まず、図２７（ａ）に示されるように、綿パン８１の前身頃８４の表側にＬポケット８２の外縁８２Ａの形状に合わせて裁断した袋布の生地８５を、地縫い９２によって縫付ける。次に、図２７（ｂ）に示されるように、外縁８２Ａの上部８２Ａａを略垂直に立てながら外縁８２Ａの中央部８２Ａｂを長さ方向に縮めた状態として、この状態で外縁中央部８２Ａｂの上からスチームアイロンを掛けて圧縮してプレスする。これによって、縮めた状態とした外縁中央部８２Ａｂのシワは綺麗に潰れて、図２７（ｃ）に示されるように滑らかな曲線となる。
【０２５１】
この上から、図２７（ｃ）に示されるように、伸縮性を有する生地としての帯状のパワーネット９３を、地縫い９２の縫い目に沿って縫付ける。そして、図２７（ｄ）に示されるように、帯状のパワーネット９３の縁に沿って外側の余った部分を切り取り、図２７（ｅ）に示されるように袋布８５を地縫い９２の部分で折り返して、袋布８５を向こう側、すなわち綿パン８１の裏側にひっくり返す。そして、図２７（ｆ）に示されるように新しいＬポケット８２の外縁８２Ａに沿ってダブルステッチ８２ａを掛けることによって、外縁中央部８２Ａｂが伸縮自在なＬポケット８２の構造が完成する。
【０２５２】
なお、実施の形態１においては、地縫い９２を縫い易くするために地縫い９２の外縁８２Ａからの縫代を１．０ｃｍと大きく取ったので、図２７（ｄ）に示されるように、帯状のパワーネット９３の縁に沿って外側の余った部分を切り落とす工程が必要になっているが、最初から地縫い９２の外縁８２Ａからの縫代を０．５ｃｍと小さくしておけば、外側の余った部分を切り落とす工程が不要になるので、この方法によっても良い。
【０２５３】
このように、実施の形態１に係るＬポケット付きボトムズとしての綿パン８１においては、ウエスト周り伸縮自在構造を構成する延出部８３Ｂと収容部８３Ａの重ね合せ部がＬポケット８２の前中心ＦＣよりの外縁８２Ａの近傍に位置するため、収容部８３Ａの端がＬポケット８２の前中心ＦＣよりの外縁８２Ａとスムーズにつながるような外見となり、収容部８３Ａの端を隠さなくとも美観を損なうことがない。
【０２５４】
また、外縁中央部８２Ａｂを長さ方向に縮めた状態で裏側からスチームアイロンによりプレスして、その上から伸縮性を有する生地としての帯状のパワーネット９３を縫付けてあるため、ウエスト周り伸縮自在構造によってウエスト周りが伸びて延出部８３Ｂが収容部８３Ａから抜き出される方向に移動する際に、Ｌポケット８２の外縁上部８２Ａａも前中心ＦＣ方向に引っ張られるが、外縁中央部８２Ａｂが上述したように伸縮自在の構造になっているため滑らかに伸びて追従し、Ｌポケット８２の周辺に従来のようなシワがよったりして見栄えを損ねることもない。
【０２５５】
そして、ウエスト周りを伸ばそうとする力が解除されると、延出部８３Ｂと収容部８３Ａとの間に両端が接続された主弾性材としてのゴムテープ９０によって再び延出部８３Ｂが収容部８３Ａ内に収容される方向に移動するが、この際にもＬポケット８２の外縁中央部８２Ａｂが伸縮自在の構造になっているため滑らかに縮んで追従し、綺麗にもとの状態に復帰する。このように、実施の形態１に係るＬポケット付きボトムズとしての綿パン８１においては、従来不可能とされてきたＬポケット付きボトムズにウエスト周り伸縮自在構造を付加することを、簡単な構造によって可能としたものである。
【０２５６】
このようにして、実施の形態１に係る綿パン８１においては、Ｌポケット８２の袋布８５の強度を維持して長期間の着用や洗濯の繰り返しにも耐えるとともに、着用時にＬポケット８２の周辺が引き攣って美観を損なうことがない。
【０２５７】
なお、実施の形態１に係る綿パン８１においても、図６（ａ）に示される実施の形態１の第２変形例に係る綿パン１Ｂと同様に、Ｌポケット８２の袋布８５の前中心ＦＣ側の折り返し部分の上端にもパイピングを施すことができる。このように、袋布８５の上端にもパイピングを施すことによって、延出部８３Ｂが移動する際の抵抗が少なくなってスムーズにウエスト周りが伸び、更に袋布８５の上端が補強されるとともに、綿パン８１が商品として陳列されている際の裏側の見栄えをも向上させることができる。
【０２５８】
次に、実施の形態１の第１変形例に係るＬポケット付きボトムズとしての綿パンのＬポケットの袋布の縫製工程について、図２８を参照して説明する。実施の形態１の第１変形例に係るＬポケットの袋布の縫製工程は、図２６に示されるＬポケット８２の袋布８５の縫製工程と同様である。異なるのは、パイピングが施される分割部分が、袋布の前中心側の折り返し部分から内側にずれている点である。
【０２５９】
すなわち、図２８（ａ）に示されるように、袋布８５Ｂの生地８０Ｂの折り返し部分８０Ｂａから約７ｍｍずれた位置に、上部から分割部分としての切り込み８７Ｂを入れる。次に、図２８（ｂ）に示されるように、この袋布８５Ｂの生地８０Ｂの切り込み８７Ｂを拡げて、パイピング専用のミシンを用いてパイピング８０Ｂｂを形成する材料となるバイアス布を供給しながら、パイピング８０Ｂｂを施す。
【０２６０】
続いて、図２８（ｃ）に示されるように、パイピング８０Ｂｂの下端の折り返し部分８０Ｂｃに摘み縫い８８Ｂを施し、図２８（ｄ）に示されるように、摘み縫い８８Ｂを施した部分が内側になるように袋布８５Ｂの生地８０Ｂ全体を裏返して、袋布８５Ｂの生地８０Ｂの下端及び反対側の端を縫い合わせる。このようにして、実施の形態１の第１変形例に係る袋布８５Ｂが縫製される。
【０２６１】
これによって、最終的に形成されたパイピング部分８６Ｂは、折り返し部分８０Ｂｃに摘み縫い８８Ｂを施して裏返して袋布８５Ｂが縫い上げられていることによって、パイピング８０Ｂｂの下端の折り返し部分８０Ｂｃが強化されて、長期間の着用や洗濯の繰り返しによって力が掛かっても解れることがない。また、パイピング部分８６Ｂの位置を、袋布８５Ｂの折り返し部分８５Ｂａから約７ｍｍ、すなわちパイピング８０Ｂｂの幅の分だけずれた位置としたことによって、パイピング部分８６Ｂが隠れて見えないため、商品として陳列された場合の裏側の美観が向上する。
【０２６２】
そして、袋布８５Ｂの前中心ＦＣよりの端の上部を切り込み８７Ｂによって分割して、分割部分８７Ｂにパイピング８０Ｂｂを施しているため、袋布８５Ｂの上端のパイピング部分８６Ｂの内側のみが延出部８３Ｂの摺動に伴って引っ張られ、袋布８５Ｂの上端のパイピング部分８６Ｂの外側が縫付けられている前身頃８４の左端は引っ張られず、この部分が引き攣ることがなく、表側から見た場合でも良好な見栄えを保つことができる。
【０２６３】
次に、実施の形態１の第２変形例に係るＬポケット付きボトムズとしての綿パンのＬポケットの袋布の縫製工程について、図２９を参照して説明する。実施の形態１の第２変形例に係るＬポケットの袋布８５Ｃは、上記袋布８５，８５Ｂと異なり、一枚の生地から縫製されるのではなく、２枚の生地を接ぎ合わせて縫製される。
【０２６４】
すなわち、図２９（ａ）に示されるように、突出部分８０Ｃｂを有する２枚の袋布の生地８０Ｃの端を合わせて、突出部分８０Ｃｂの上から約１ｃｍをステッチ８０Ｃａで縫付けて、図２９（ｂ）に示されるように分割部分８０Ｃｃを拡げて、図２９（ｃ）に示されるように、この分割部分８０Ｃｃにパイピング専用のミシンを用いてパイピング８０Ｃｄを形成する材料となるバイアス布を供給しながら、パイピング８０Ｃｄを施す。
【０２６５】
続いて、図２９（ｄ）に示されるように、パイピング８０Ｃｄの下端の折り返し部分８０Ｃｅに摘み縫い８８Ｃを施し、図２９（ｅ）に示されるように、摘み縫い８８Ｃを施した部分が内側になるように袋布８５Ｃの生地８０Ｃ全体を裏返して、袋布８５Ｃの生地８０Ｃの下端及び反対側の端を、突出部分８０Ｃｂの上からロックミシンによって縫い合わせる（インターロックを掛ける）。このようにして、実施の形態１の第２変形例に係る袋布８５Ｃが縫製され、形成されたパイピング部分８６Ｃのみならず、袋布８５Ｃの下端及び反対側もロック始末８７Ｃが施されるため、より丈夫な袋布８５Ｃとなる。
【０２６６】
次に、実施の形態１の第３変形例に係るＬポケット付きボトムズとしての綿パンのＬポケットの袋布の縫製工程について、図３０を参照して説明する。実施の形態１の第３変形例に係るＬポケットの袋布８５Ｄは、２枚の生地を接ぎ合わせて縫製されるが、袋布８５Ｃと異なり、まずパイピングが施されてから接ぎ合わされる。
【０２６７】
すなわち、図３０（ａ）に示されるように、まず２枚の袋布の生地８０Ｄの端にそれぞれ、パイピング専用のミシンを用いてパイピング８０Ｄａを形成する材料となるバイアス布を供給しながら、パイピング８０Ｄａが施される。次に、図３０（ｂ）に示されるように、これら２枚の袋布の生地８０Ｄのパイピング８０Ｄａを合わせて、パイピング８０Ｄａの下部を互いに縫付けるようにして、ステッチ８０Ｄｂによって接ぎ合わせる。
【０２６８】
そして、図３０（ｃ），（ｄ）に示されるように、パイピング８０Ｄａが内側になるように２枚の袋布の生地８０Ｄを裏返して、袋布８５Ｄの生地８０Ｄの下端及び反対側の端を縫い合わせる。このようにして、実施の形態１の第３変形例に係る袋布８５Ｄが縫製される。
【０２６９】
次に、実施の形態１の第４変形例に係るＬポケット付きボトムズとしての綿パンのＬポケットの袋布の縫製工程について、図３１を参照して説明する。実施の形態１の第４変形例に係るＬポケットの袋布８５Ｅは、やはり２枚の生地を接ぎ合わせて縫製されるが、袋布８５Ｃと異なり、２枚の袋布の生地８０Ｅの一方に予め当て布８９が縫付けられている。
【０２７０】
すなわち、図３１（ａ）に示されるように、２枚の袋布の生地８０Ｅの一方には予め当て布８９が縫付けられており、他方にはＬポケット８２の外縁８２Ａが形成されている。これら２枚の袋布の生地８０Ｅが合わせ目８０Ｅｂに沿って縫い合わされ、上部８０Ｅａが縫い合わされずに分割部分として残される。次に、図３１（ｂ）に示されるように、この分割部分８０Ｅａを拡げて、パイピング専用のミシンを用いてパイピング８０Ｅｃを形成する材料となるバイアス布を供給しながら、パイピング８０Ｅｃが施される。
【０２７１】
続いて、図３１（ｃ）に示されるように、パイピング８０Ｅｃの下端の折り返し部分８０Ｅｄに摘み縫い８８Ｅを施し、図３１（ｄ）に示されるように、摘み縫い８８Ｅを施した部分が内側になるように袋布８５Ｅの生地８０Ｅ全体を裏返して、袋布８５Ｅの生地８０Ｅの下端及び反対側の端を縫い合わせる。このようにして、実施の形態１の第４変形例に係る袋布８５Ｅが縫製される。
【０２７２】
なお、図３１（ｅ）に示されるように、２枚の袋布の生地の一方をＬポケット付きボトムズとしての綿パンの前身頃と共地の生地８９Ｆを用いて、同様な手順で縫い合わせることによって、袋布８５Ｆとすることもできる。
【０２７３】
実施の形態２
次に、本発明の実施の形態２に係るＬポケット付きボトムズについて、図３２を参照して説明する。図３２（ａ）は本発明の実施の形態２に係るＬポケット付きボトムズとしての綿パンの左Ｌポケットとその近傍のウエスト周りが縮んだ状態を示す部分拡大図、（ｂ）はウエスト周りが伸びた状態を示す部分拡大図、（ｃ），（ｄ）は左Ｌポケットの外縁の伸縮構造の作製手順を表側から見て示す説明図、（ｅ）は本発明の実施の形態２の変形例に係る綿パンの左Ｌポケットの外縁の伸縮構造を表側から見て示す説明図である。
【０２７４】
実施の形態２に係るＬポケット付きボトムズとしての綿パン９６は、実施の形態１に係るＬポケット付きボトムズとしての綿パン８１と同様に、前身頃のベルト部８３の近傍に左右１対のＬポケット９７を有しており、これらのＬポケット９７のポケット口外縁９７Ａの前中心ＦＣよりの部分（外縁９７Ａの上部）の近傍に、ベルト部８３の見掛け上の長さを伸縮自在としたウエスト周り伸縮自在構造を有している。
【０２７５】
すなわち、実施の形態１と同様に、ベルト部８３には左右１対のＬポケット９７のポケット口外縁９７Ａの近傍に、収容部８３Ａとその収容部８３Ａ内に挿入される延出部８３Ｂからなる重ね合せ部が形成されており、延出部８３Ｂの先端と収容部８３Ａとが収容部８３Ａ内において主弾性材としてのゴムテープ９０で接続されることによって、ベルト部８３の見掛け上の長さを伸縮自在としている。そして、Ｌポケット９７の袋布８５の端部８５ａの上端を分割して、パイピング部分８６が設けられている点等についても、実施の形態１に係る綿パン８１と同様である。
【０２７６】
これによって、ベルト部８３に引っ張り力が掛かっていない場合には、図３２（ａ）に示されるようにＬポケット９７の外縁９７Ａの上部が収容部８３Ａの端と一致しており、ベルト部８３に引っ張り力が掛かってウエスト周りが伸びると、図３２（ｂ）に示されるようにＬポケット９７の外縁９７Ａの上部も延出部８３Ｂと一体に移動して、Ｌポケット９７の周囲にシワ等を生ずることなくＬポケット９７の外縁９７Ａが滑らかに変形する。これは、Ｌポケット９７の外縁９７Ａが伸縮性を有しているからである。
【０２７７】
このＬポケット９７の外縁９７Ａに伸縮性を持たせる縫製方法について、図３２（ｃ），（ｄ）を参照して説明する。まず、図３２（ｃ）に示されるように、綿パン９６の前身頃８４の表側にＬポケット９７の外縁９７Ａの形状に合わせて裁断した袋布の生地８５を、地縫い９８によって縫付け、次に外縁９７Ａの中央部に切欠き９７Ｂを設ける。そして、図３２（ｄ）に示されるように、外縁９７Ａの上部を略垂直に立てながら外縁中央部の切欠き９７Ｂを縮めた状態として、この状態で外縁中央部の上から伸縮性を有する生地としての帯状のパワーネット９９を、地縫い９８の縫い目に沿って縫付ける。
【０２７８】
なお、実施の形態２においては、地縫い９８の縫代を最初から０．５ｃｍと小さく取ったため、実施の形態１のように外縁９７Ａの縁を切り落とす作業の必要がなくなるが、実施の形態１と同様に地縫い９８の縫代を１．０ｃｍ取っておいて、帯状のパワーネット９９を縫付けた後に外縁９７Ａの縁を切り落とす方法を採っても良い。
【０２７９】
後は、実施の形態１の図２７（ｅ）に示されるのと同様に、袋布８５を地縫い９８の部分で折り返して、袋布８５を向こう側、すなわち綿パン９６の裏側にひっくり返す。そして、図２７（ｆ）に示されるように新しいＬポケット９７の外縁９７Ａに沿ってダブルステッチ８２ａを掛けることによって、外縁中央部が伸縮自在なＬポケット９７の構造が完成する。
【０２８０】
このように、実施の形態２においては、外縁９７Ａの中央部に切欠き９７Ｂを設けることによって外縁９７Ａの中央部が伸縮自在なＬポケット９７としているため、実施の形態１のようにスチームアイロンでプレスする工程を省くことができ、より容易に短時間でＬポケット９７の外縁９７Ａに伸縮性を持たせることができる。なお、切欠き９７Ｂは１つに限られるものではなく、図３２（ｅ）に示されるように、３ヵ所に切欠き９７Ｂを設けてこれら３ヵ所の切欠き９７Ｂを縮めた状態として、この状態で外縁中央部の上から伸縮性を有する生地としての帯状のパワーネット９９を、地縫い９８の縫い目に沿って縫付けることもできる。
【０２８１】
これによって、ウエスト周り伸縮自在構造によってウエスト周りが伸びて延出部８３Ｂが収容部８３Ａから抜き出される方向に移動する際に、Ｌポケット９７の外縁上部９７Ａも前中心ＦＣ方向に引っ張られるが、外縁中央部９７Ａが上述したように伸縮自在の構造になっているため滑らかに伸びて追従し、Ｌポケット９７の周辺に従来のようなシワがよったりして見栄えを損ねることもない。
【０２８２】
そして、ウエスト周りを伸ばそうとする力が解除されると、延出部８３Ｂと収容部８３Ａとの間に両端が接続された主弾性材としてのゴムテープ９０によって再び延出部８３Ｂが収容部８３Ａ内に収容される方向に移動するが、この際にもＬポケット９７の外縁中央部９７Ａが伸縮自在の構造になっているため滑らかに縮んで追従し、綺麗にもとの状態に復帰する。このように、実施の形態２に係るＬポケット付きボトムズとしての綿パン９６においては、従来不可能とされてきたＬポケット付きボトムズにウエスト周り伸縮自在構造を付加することを、簡単な構造によって可能としたものである。
【０２８３】
このようにして、実施の形態２に係るＬポケット付きボトムズとしての綿パン９６においては、Ｌポケット９７の袋布８５の強度を維持して長期間の着用や洗濯の繰り返しにも耐えるとともに、着用時にＬポケット９７の周辺が引き攣って美観を損なうことがない。
【０２８４】
以上、本発明に係るＬポケット付きボトムズの各実施の形態について説明したが、更に可能な範囲でこれらの各実施の形態を同時に本発明に係るＬポケット付きボトムズに適用することもできる。例えば、上記参考例１乃至参考例６に係るＬポケット付きボトムズに、更に上記参考例７または上記実施の形態１に係るＬポケット付きボトムズの構成を組み合わせることもでき、上記参考例７乃至参考例１１に係るＬポケット付きボトムズに、更に上記実施の形態１に係るＬポケット付きボトムズの構成を組み合わせることもできる。
【０２８５】
上記各実施の形態及び各参考例においては、収容部及び延出部をいずれもＬポケット付きボトムズの前身頃と共地で作製しており、かつ、収容部及び延出部の表裏を一体として、ベルト部上端で折り曲げる構成とした例についてのみ説明したが、収容部及び延出部の構成はこれに限られるものではない。
【０２８６】
例えば、収容部及び延出部の表側のみを前身頃と共地として、収容部及び延出部の裏側は別の生地として、ベルト部上端で両者の生地を接ぐ構成とすることもできる。ここで、収容部及び延出部の裏側を構成する別の生地としては、収容部の裏側をマーベルトとして延出部の裏側にもマーベルトを用いる構成、収容部及び延出部の裏側を一体として伸縮性を有する生地、例えばパワーネットやゴム生地を用いる構成が考えられる。また、延出部の裏側にゴム生地を用いて、収容部の裏側を前身頃と共地で作製するか、若しくはマーベルトとする構成を採用することもできる。
【０２８７】
また、上記各実施の形態及び各参考例においては、Ｌポケット付きボトムズの前部の左右のポケットがいずれもＬポケットである場合について説明したが、左右のポケットのいずれか一方のみがＬポケットで、他方は脇ポケット等の異なるポケットであっても構わない。また、上記各実施の形態においては、主としてＬポケット付きボトムズとして綿パンの例について説明したが、綿パンの一種であるチノパンやジーンズ（Ｇパン）等を始めとするＬポケットを有するボトムズであれば、カジュアルなボトムズ、カジュアルでないボトムズを問わず、どのような衣服にも適用することができる。
【０２８８】
更に、上記各実施の形態及び各参考例においては、主弾性材としてゴムテープを用いた場合について説明したが、主弾性材としては他にも平ゴム、ゴム製板等の様々な弾性を有する素材を用いることができる。
【０２８９】
本発明を実施するに際しては、Ｌポケット付きボトムズの構造、形状、材質、生地、大きさ、長さ、幅、接続関係等についても、上記各実施の形態及び各参考例に限定されるものではない。なお、本発明の実施の形態及び各参考例で挙げている数値は、臨界値を示すものではなく、実施に好適な好適値を示すものであるから、上記数値を若干変更してもその実施を否定するものではない。
【符号の説明】
【０２９０】
１，１Ａ，１Ｂ，１Ｃ，１Ｄ，１Ｅ，１６，２１，２５，２５Ａ，３０，３５，３５Ａ，４０，４０Ａ，５１，５１Ａ，５１Ｂ，５１Ｃ，５１Ｄ，５１Ｅ，６６，７１，７５，７５Ａ，８１，９６  Ｌポケット付きボトムズ
２，１７，２２，５２，６７，７２，８２，９７  Ｌポケット
２Ａ，１７Ａ，２２Ａ，５２Ａ，６７Ａ，７２Ａ，９７Ａ  外縁
２Ａａ，５２Ａａ，８２Ａａ  外縁上部
２Ａｂ，５２Ａｂ，８２Ａｂ  外縁中央部
３，５３，８３  ベルト部
３Ａ，３６，５３Ａ，８３Ａ  収容部
３Ｂ，３７，３８，４１，４２，５３Ｂ，５３Ｃ，８３Ｂ  延出部
３ａ，３ｂ，５３ａ，５３ｂ  ベルト布ステッチ
４，５４，８４  前身頃
５，２６，２８，７６，７８，８５，８５Ｂ，８５Ｃ，８５Ｄ，８５Ｅ，８５Ｆ  袋布
５ｃ，５ｄ，８０ｂ，８０Ｂｂ，８０Ｃｄ，８０Ｄａ，８０Ｅｃ  パイピング
５ｅ，８７Ｃ  ロック始末
６  伸縮性を有しない生地
７，１８，５７，６８，９２，９８  地縫い
８，１９，５８，６９，９３，９９  伸縮性を有する生地
１０，６０，９０  主弾性材
１１，６１，９１  伸び止め材
１２，９２  補助弾性材
１３  接着布
１４  両面接着芯
１７Ｂ，２２Ｂ，６７Ｂ，９７Ｂ  切欠き
２０，３２，３３，７０  ベルト通し
２７，２９，７７，７９  タック
３１，５０  接着布芯
３７ａ，３９，４１ａ，４３  ストッパー部分
６０ａ  斜めのステッチ
８０，８０Ｂ，８０Ｃ，８０Ｄ，８０Ｅ，８０Ｆ  袋布の生地
８０ｃ，８０Ｂｃ，８０Ｃｅ，８０Ｅｄ  パイピングの折り返し部分
８６，８６Ｂ，８６Ｃ，８６Ｄ，８６Ｅ  パイピング部分
８７，８７Ｂ，８０Ｃｃ，８０Ｅａ，８０Ｆａ  分割部分
８８，８８Ｂ，８８Ｃ，８８Ｅ  摘み縫い
ＦＣ  前中心
【図１】
2011196013.tif 000003
【図２】
2011196013.tif 000004
【図３】
2011196013.tif 000005
【図４】
2011196013.tif 000006
【図５】
2011196013.tif 000007
【図６】
2011196013.tif 000008
【図７】
2011196013.tif 000009
【図８】
2011196013.tif 000010
【図９】
2011196013.tif 000011
【図１０】
2011196013.tif 000012
【図１１】
2011196013.tif 000013
【図１２】
2011196013.tif 000014
【図１３】
2011196013.tif 000015
【図１４】
2011196013.tif 000016
【図１５】
2011196013.tif 000017
【図１６】
2011196013.tif 000018
【図１７】
2011196013.tif 000019
【図１８】
2011196013.tif 000020
【図１９】
2011196013.tif 000021
【図２０】
2011196013.tif 000022
【図２１】
2011196013.tif 000023
【図２２】
2011196013.tif 000024
【図２３】
2011196013.tif 000025
【図２４】
2011196013.tif 000026
【図２５】
2011196013.tif 000027
【図２６】
2011196013.tif 000028
【図２７】
2011196013.tif 000029
【図２８】
2011196013.tif 000030
【図２９】
2011196013.tif 000031
【図３０】
2011196013.tif 000032
【図３１】
2011196013.tif 000033
【図３２】
2011196013.tif 000034
【図３３】
2011196013.tif 000035
【図３４】
2011196013.tif 000036
【図３５】
2011196013.tif 000037
【図３６】
2011196013.tif 000038